(57)【要約】【課題】電子機器の操作性を向上させることが可能な技術を提供する。【解決手段】電子機器１は、表示領域に表示を行う表示部１６と、表示領域に対する操作を検出する操作検出部３０と、表示部１６を制御する表示制御部３１とを備える。表示制御部３１は、表示領域に含まれる第１表示領域を複数の分割領域に分割し、当該複数の分割領域のそれぞれの表示を独立して制御する分割表示モードを有する。表示制御部３１は、分割表示モードにおいて、複数の分割領域のそれぞれに対する設定を可能にする一つの操作対象画像を表示部１６に表示させる。【選択図】図４
2018198096.tif 000002
【特許請求の範囲】
【請求項１】
表示領域に表示を行う表示部と、
前記表示領域に対する操作を検出する操作検出部と、
制御部と、
を備え、
前記制御部は、
前記表示領域を複数の分割領域に分割し、
前記表示部に、互いに異なる複数のアプリケーションの画面を前記複数の分割領域にそれぞれ表示させ、
前記表示領域を前記複数の分割領域に分割するとき、前記表示領域の特定の領域に対する第１操作に基づいて前記複数の分割領域の少なくとも一つの領域の大きさを変更し、
前記表示領域を前記複数の分割領域に分割するときに音声通話の着信があると前記表示領域を前記複数の分割領域に分割するのを止め、前記表示領域において、前記複数の分割領域のいずれの分割領域よりも面積が大きな通知情報を前記表示部に表示させる、電子機器。
【請求項２】
請求項１に記載の電子機器であって、
前記制御部は、前記表示領域を前記複数の分割領域に分割するとき、前記表示部に、前記表示領域を分割する、水平方向及び垂直方向の一方に延びる第１分割線と水平方向及び垂直方向の他方に延びる第２分割線とを表示させる、電子機器。
【請求項３】
請求項２に記載の電子機器であって、
前記制御部は、前記表示領域を前記複数の分割領域に分割するとき、前記表示領域において、前記第１及び第２分割線の交点を含むように前記特定の領域を設定する、電子機器。
【請求項４】
請求項１及び請求項２のいずれか一つに記載の電子機器であって、
前記制御部は、前記表示領域を前記複数の分割領域に分割するとき、前記表示領域の下端部あるいは側端部に前記特定の領域を設定する、電子機器。
【請求項５】
請求項１及び請求項２のいずれか一つに記載の電子機器であって、
前記制御部は、前記表示領域を前記複数の分割領域に分割するとき、前記操作検出部によって前記表示領域に対する第２操作が検出された場合には、前記表示領域において前記特定の領域に対応する位置に操作対象画像を前記表示部に表示させる、電子機器。
【発明の詳細な説明】
【技術分野】
【０００１】
本発明は、電子機器に関する。
【背景技術】
【０００２】
特許文献１に記載されているように、従来から電子機器に関して様々な技術が提案されている。
【先行技術文献】
【特許文献】
【０００３】
【特許文献１】特開２００８−１６５７３５号公報
【発明の概要】
【発明が解決しようとする課題】
【０００４】
さて、電子機器については、その操作性の向上が望まれている。
【０００５】
そこで、本発明は上述した点に鑑みて成されたものであり、電子機器の操作性を向上させることが可能な技術を提供することを目的とする。
【課題を解決するための手段】
【０００６】
電子機器の一態様は、表示領域に表示を行う表示部と、表示領域に対する操作を検出する操作検出部と、制御部とを備える。制御部は、表示領域を複数の分割領域に分割し、表示部に、互いに異なる複数のアプリケーションの画面を複数の分割領域にそれぞれ表示させる。制御部は、表示領域を複数の分割領域に分割するとき、表示領域の特定の領域に対する第１操作に基づいて複数の分割領域の少なくとも一つの領域の大きさを変更する。制御部は、表示領域を複数の分割領域に分割するときに音声通話の着信があると表示領域を複数の分割領域に分割するのを止め、表示領域において、複数の分割領域のいずれの分割領域よりも面積が大きな通知情報を表示部に表示させる。
【発明の効果】
【０００７】
本発明によれば、電子機器の操作性が向上する。
【図面の簡単な説明】
【０００８】
【図１】実施の形態に係る電子機器の外観を示す前面図である。
【図２】実施の形態に係る電子機器の外観を示す前面図である。
【図３】実施の形態に係る電子機器の電気的構成を示すブロック図である。
【図４】実施の形態に係る電子機器の機能的な構成を示す図である。
【図５】実施の形態に係る電子機器の処理の概要を説明するための図である。
【図６】実施の形態に係る電子機器の表示例を示す図である。
【図７】実施の形態に係る電子機器の表示例を示す図である。
【図８】実施の形態に係る電子機器の処理を説明するための図である。
【図９】実施の形態に係る電子機器の表示例を示す図である。
【図１０】実施の形態に係る電子機器の表示例を示す図である。
【図１１】実施の形態に係る電子機器の表示例を示す図である。
【図１２】実施の形態に係る電子機器の表示例を示す図である。
【図１３】実施の形態に係る電子機器の表示例を示す図である。
【図１４】実施の形態に係る電子機器の表示例を示す図である。
【図１５】実施の形態に係る電子機器の表示例を示す図である。
【図１６】実施の形態に係る電子機器の表示例を示す図である。
【図１７】実施の形態に係る電子機器の表示例を示す図である。
【図１８】実施の形態に係る電子機器の表示例を示す図である。
【図１９】設定モードについて説明するための図である。
【図２０】実施の形態に係る電子機器の表示例を示す図である。
【図２１】実施の形態に係る電子機器の表示例を示す図である。
【図２２】実施の形態に係る電子機器の表示例を示す図である。
【図２３】実施の形態に係る電子機器の表示例を示す図である。
【図２４】実施の形態に係る電子機器の表示例を示す図である。
【図２５】実施の形態に係る電子機器の表示例を示す図である。
【図２６】実施の形態に係る電子機器の表示例を示す図である。
【図２７】実施の形態に係る電子機器の表示例を示す図である。
【図２８】実施の形態に係る電子機器の表示例を示す図である。
【図２９】実施の形態に係る電子機器の表示例を示す図である。
【図３０】表示制御部が行う処理について説明するための図である。
【図３１】実施の形態に係る電子機器の表示例を示す図である。
【図３２】実施の形態に係る電子機器の表示例を示す図である。
【図３３】実施の形態に係る電子機器の表示例を示す図である。
【図３４】実施の形態に係る電子機器の表示例を示す図である。
【図３５】通常表示モードから分割表示モードへの移行について説明するための図である。
【図３６】実施の形態に係る電子機器の表示例を示す図である。
【図３７】実施の形態に係る電子機器の表示例を示す図である。
【図３８】実施の形態に係る電子機器の表示例を示す図である。
【図３９】実施の形態に係る電子機器の表示例を示す図である。
【図４０】実施の形態に係る電子機器の使用環境を説明するための図である。
【図４１】実施の形態に係る電子機器の表示例を示す図である。
【図４２】実施の形態に係る電子機器の表示例を示す図である。
【図４３】実施の形態に係る電子機器の表示例を示す図である。
【図４４】実施の形態に係る電子機器の表示例を示す図である。
【図４５】実施の形態に係る電子機器の表示例を示す図である。
【図４６】右手で電子機器を保持および操作するときを示す図である。
【図４７】実施の形態に係る電子機器の表示例を示す図である。
【図４８】実施の形態に係る電子機器の表示例を示す図である。
【図４９】実施の形態に係る電子機器の表示例を示す図である。
【図５０】実施の形態に係る電子機器の表示例を示す図である。
【図５１】実施の形態に係る電子機器の表示例を示す図である。
【図５２】実施の形態に係る電子機器の表示例を示す図である。
【図５３】実施の形態に係る電子機器の表示例を示す図である。
【図５４】実施の形態に係る電子機器の表示例を示す図である。
【図５５】実施の形態に係る電子機器の表示例を示す図である。
【図５６】実施の形態に係る電子機器の表示例を示す図である。
【図５７】実施の形態に係る電子機器の表示例を示す図である。
【図５８】実施の形態に係る電子機器の表示例を示す図である。
【図５９】実施の形態に係る電子機器の表示例を示す図である。
【図６０】実施の形態に係る電子機器の表示例を示す図である。
【図６１】実施の形態に係る電子機器の表示例を示す図である。
【図６２】実施の形態に係る電子機器の表示例を示す図である。
【発明を実施するための形態】
【０００９】
＜＜第一実施形態＞＞
＜＜電子機器の外観＞＞
図１，２は、それぞれ、実施の形態に係る電子機器１の外観を示す前面図及び裏面図である。本実施の形態に係る電子機器１は、例えば、スマートフォン等の携帯電話機であって、基地局及びサーバー等を通じて他の通信装置と通信することが可能である。図１，２に示されるように、電子機器１は、平面視において略長方形の板状形状であり、カバーパネル２とケース部分３とを備えている。
【００１０】
カバーパネル２は、図１に示されるように、表示領域２ａと、周縁領域２ｂとを備えている。カバーパネル２は、例えば、透明のガラスあるいは透明のアクリル樹脂で形成されている。カバーパネル２の裏面側には、後述する表示装置１７及びタッチパネル１８が設けられている。
【００１１】
表示装置１７によって表示された文字、記号、図形、映像等の各種情報は、カバーパネル２における表示領域２ａを通してユーザに視認される。カバーパネル２における、表示領域２ａを取り囲む周縁領域２ｂは、例えばフィルム等が貼られることで黒色となっており、当該周縁領域２ｂでは表示装置１７による表示がユーザに視認されることはない。カバーパネル２における表示領域２ａと、表示装置１７とを合わせて表示部１６と呼ぶ。表示部１６で表示される情報は、電子機器の外部から視認される。タッチパネル１８は、表示領域２ａに対する指等の操作子による操作を受け付ける。
【００１２】
カバーパネル２の上端部には、レシーバー穴４と前面側撮像部５ａとが備えられている。カバーパネル２の下端部には、マイク穴６が備えられている。電子機器１の側面には、サイドキー７と、イヤホン端子８とが備えられている。サイドキー７は、電子機器１の起動を行う操作キーである。つまり、サイドキー７は、電子機器１の電源のオン／オフを行う操作キーである。図２に示されるように、電子機器１の裏面には、裏面側撮像部５ｂと、スピーカー穴９とが備えられている。
【００１３】
＜＜電子機器の電気的構成＞＞
図３は、電子機器１の電気的構成を示すブロック図である。図３に示されるように、電子機器１には、制御部１０と、無線通信部１４と、表示部１６と、タッチパネル１８と、サイドキー７と、マイク１９と、レシーバー２０と、スピーカー２１と、前面側撮像部５ａと、裏面側撮像部５ｂとが設けられている。
【００１４】
制御部１０は、ＣＰＵ（Central Processing Unit）１１、ＤＳＰ（Digital Signal Processor）１２及び記憶部１３等を備えており、電子機器１の他の構成要素を制御することによって、電子機器１の動作を統括的に管理する。記憶部１３は、ＲＯＭ（Read Only Memory）及びＲＡＭ（Random Access Memory）等で構成されている。記憶部１３には、電子機器１の動作、具体的には電子機器１が備える無線通信部１４、表示部１６等の各構成要素を制御するための制御プログラムであるメインプログラムＰｇ１、複数のアプリケーションプログラムＰｇ２等（以後、単に「アプリケーションＰｇ２」と呼ぶ）が記憶されている。メインプログラムＰｇ１およびアプリケーションＰｇ２は、電子機器１に含まれているプロセッサーとしてのＣＰＵ１１及びＤＳＰ１２が読み取り可能なものである。ＣＰＵ１１及びＤＳＰ１２がメインプログラムＰｇ１を実行することで、電子機器１に係る各種機能が実現される。なお、本実施の形態では、電子機器１には、ＣＰＵ１１およびＤＳＰ１２がそれぞれ１つ設けられているが、複数のＣＰＵ１１が設けられてもよいし、複数のＤＳＰ１２が設けられてもよい。つまり、電子機器１には、少なくとも一つのＣＰＵ１１と、少なくとも一つのＤＳＰ１２が設けられてもよい。そして、少なくとも一つのＣＰＵ１１と少なくとも一つのＤＳＰ１２が互いに協働することで、電子機器１に係る各種機能が実現されてもよい。また、記憶部１３は、図３に例示される場合とは異なり、制御部１０に備えられていなくてもよい。つまり、記憶部１３は、制御部１０と別に設けられてもよい。
【００１５】
また、記憶部１３内には、アプリケーションＰｇ２として、例えば、他の携帯電話機と通話を行うための電話アプリケーションおよび電子メールの送受信を行うためのメールアプリケーションなどが記憶されている。メインプログラムＰｇ１の実行過程で、アプリケーションＰｇ２が読み込まれて実行されることで、通話およびメール送信といった機能が電子機器１で実現される。なお図３では、図面の煩雑さを避けるために、アプリケーションＰｇ２は一つだけ示されている。
【００１６】
無線通信部１４は、アンテナ１５を有している。無線通信部１４は、電子機器１とは別の携帯電話機あるいはインターネットに接続されたウェブサーバ等の通信装置との通信信号の送受信を、基地局等を介してアンテナ１５で行う。
【００１７】
表示部１６は、表示領域２ａと表示装置１７とを有している。表示装置１７は、例えば、液晶表示ディスプレイあるいは有機ＥＬディスプレイである。前述した通り、表示部１６では、表示装置１７によって表示された各種情報が、表示領域２ａを通して電子機器１の外部から視認される。
【００１８】
タッチパネル１８は、例えば、投影型静電容量方式のタッチパネルである。タッチパネル１８は、カバーパネル２の裏面に貼り付けられており、互いに対向配置されたシート状の二つの電極センサを備えている。ユーザが指等の操作子で表示部１６の表示領域２ａに対して接触すると、タッチパネル１８における、当該操作子と対向する部分の静電容量が変化する。そして、タッチパネル１８は、静電容量の変化に応じた電気的な信号を制御部１０に出力する。このように、タッチパネル１８は、表示部１６の表示領域２ａに対する操作子による操作を検出する操作検出部３０（後述の図４参照）として機能する。なお、ユーザは、指以外の操作子、例えば、スタイラスペンなどの静電式タッチパネル用ペンで表示部１６を操作することによっても、電子機器１に対して各種指示を与えることができる。
【００１９】
ここで、タッチパネル１８の検出感度を高く設定した場合には、操作子が表示領域２ａに接触せずに近接している状態であっても、タッチパネル１８における、操作子と対向している部分の静電容量が変化する。したがって、タッチパネル１８は、操作子の表示部１６（表示領域２ａ）に対する近接も検出することができる。つまり、タッチパネル１８は、操作子の表示部１６に対する接触及び近接を検出することができる。本実施の形態では、操作子が表示部１６に接触していることには、操作子が表示部１６に近接していることも含むものとする。したがって、タッチパネル１８が操作子の表示部１６に対する接触を検出することには、タッチパネル１８が操作子の表示部１６に対する近接を検出することも含まれる。
【００２０】
サイドキー７は、押下されることで、電気的な指示信号を制御部１０に送出する。マイク１９には、通話等の際にユーザの音声等が入力され、入力された音声等を電気的な信号に変換して制御部１０に出力する。レシーバー２０は、通話等の際に制御部１０から入力される電気的な音信号を音に変換して出力することにより、受話音をユーザに提供する。スピーカー２１は、制御部１０から入力される電気的な音信号を音に変換して出力することで、電子機器１から離れた場所に存在するユーザに着信音などを提供する。なお、ケース部分３の側面に設けられたイヤホン端子８（図１参照）にイヤホンが接続されている場合には、受話音や着信音などの音信号はイヤホン端子８に入力される。イヤホン端子８に入力された音信号はイヤホンに入力され、当該イヤホンから音が出力される。前面側撮像部５ａ及び裏面側撮像部５ｂは、静止画像及び動画像を撮像する。
【００２１】
＜＜表示領域に対する操作の種類について＞＞
ユーザが表示部１６に対して行う基本的な操作としては、例えば、タップ操作、ロングタッチ操作、スライド操作、フリック操作などがある。
【００２２】
タップ操作とは、操作子が表示部１６に接触してからすぐに当該表示部１６から離れる操作である。詳細には、タップ操作とは、操作子が表示部１６の表示領域２ａに接触してから所定時間以内にその接触位置あるいは近接位置で当該表示領域２ａから離れる操作である。ユーザは、表示部１６に対してタップ操作を行うことによって、例えば、表示部１６に表示されている、アプリケーションＰｇ２を実行するための画像を選択して、当該アプリケーションＰｇ２を電子機器１に実行させることができる。
【００２３】
ロングタッチ操作とは、操作子が表示部１６の表示領域２ａに所定時間以上接触する操作である。ロングタッチ操作は、いわゆる「長押し」の操作に該当する。ユーザは、表示部１６に対してロングタッチ操作を行うことによって、例えば、ユーザが電子機器１に対して指示することが可能な処理の一覧を表示部１６に表示させることができる。
【００２４】
スライド操作とは、操作子が表示部１６の表示領域２ａに接触した状態で移動する操作である。ユーザは、例えば、表示部１６に表示されている画像に対してスライド操作を行うことによって、当該画像が表示される表示位置を、当該スライド操作で操作子が移動した移動先まで移動させることができる。このスライド操作は、「ドラッグ操作」とも呼ばれる。本実施の形態では、ドラッグ操作のことを、移動操作と呼ぶこともある。
【００２５】
フリック操作とは、表示部１６の表示領域２ａを操作子で払う操作である。詳細には、フリック操作とは、操作子が表示領域２ａに接触した状態で所定時間以内に所定距離以上移動して表示領域２ａから離れる操作である。ユーザは、表示部１６に対してフリック操作を行うことによって、例えば、電子機器１に対して、表示部１６の表示を当該フリック操作での操作子の移動方向にスクロールさせることができる。
【００２６】
＜＜制御部の機能ブロックについて＞＞
制御部１０では、メインプログラムＰｇ１が実行されることによって、複数の機能ブロックが形成される。図４は、制御部１０に形成される複数の機能ブロックの一部を示す図である。図４に示されるように、制御部１０は機能ブロックとして表示制御部３１を備えている。
【００２７】
表示制御部３１は、操作検出部３０（タッチパネル１８）が検出した、表示部１６に対する操作子による操作に基づいて、表示部１６の表示を制御する。図５は、表示制御部３１が行う処理の概要を説明するための図である。図５に示されるように、表示制御部３１は、動作モードとして、通常表示モード３５と分割表示モード３６とを有している。表示制御部３１は、操作検出部３０で検出された操作に基づいて、通常表示モード３５と分割表示モード３６との切り替えの制御を行う。
【００２８】
図６は、通常表示モード３５における、表示部１６の表示例を示す図である。図６に示されるように、表示領域２ａは、メインの第１表示領域４０と、第１表示領域４０とは別の第２表示領域４１とで構成されている。通常表示モード３５では、例えば、第１表示領域４０に、アプリケーションが実行されることで得られる画像であるアプリケーション実行画像が１つ表示される。図６に示される例では、第１表示領域４０に、地図を表示するための地図表示アプリケーション実行時のアプリケーション実行画像４７が表示されている。第１表示領域４０には、電子機器１（表示部１６）が起動直後等に表示するホーム画像（初期画像）が表示されることもある。
【００２９】
図６に示される例では、第２表示領域４１は、第２表示領域４１ａと第２表示領域４１ｂとで構成されている。第２表示領域４１ａには、例えば、電池残量を示すアイコン４２ａ、通信状態を示すアイコン４２ｂ、現在時刻４２ｃが表示される。第２表示領域４１ａはピクトエリアと呼ばれることもある。
【００３０】
第２表示領域４１ｂには、例えば、画像４３ａ，４３ｂ，４３ｃ，４３ｄが表示される。本実施の形態においては、画像４３ａ，４３ｂ，４３ｃ，４３ｄはソフトウェアキーの役割を果たす。具体的には、例えば、操作検出部３０によって画像４３ａへのタップ操作が検出された場合には、表示制御部３１は、表示部１６の表示を１つ前に戻させる。同様に、操作検出部３０によって画像４３ｂへのタップ操作が検出された場合には、表示制御部３１は、表示部１６にホーム画像６１を表示させる。操作検出部３０によって画像４３ｃへのタップ操作が検出された場合には、表示制御部３１は、表示部１６にアプリケーションの実行履歴を表示させる。操作検出部３０によって画像４３ｄへのタップ操作が検出された場合には、表示制御部３１は、分割表示モード３６（図５参照）に移行する。このように、第２表示領域４１ｂには、ソフトウェアキーの役割を果たす画像４３ａ，４３ｂ，４３ｃ，４３ｄが表示される。第２表示領域４１ｂはナビゲーションバーと呼ばれることもある。
【００３１】
一方、図７は、分割表示モード３６における、表示部１６の表示例を示す図である。図７に示されるように、表示領域２ａには、通常表示モード３５時と同様に、第１表示領域４０と、第２表示領域４１とが含まれている。分割表示モード３６と通常表示モード３５とは、第１表示領域４０の表示態様が異なる。
【００３２】
分割表示モード３６では、表示制御部３１は、第１表示領域４０を複数の分割領域に分割し、当該複数の分割領域のそれぞれの表示を独立して制御する。図７に示される例では、第１表示領域４０は、４つの分割領域４４ａ，４４ｂ，４４ｃ，４４ｄに分割されている。以後、分割領域４４ａ，４４ｂ，４４ｃ，４４ｄを特に区別する必要がない場合には、単に「分割領域」と呼ぶ。また、以後、分割表示モード３６における説明では、図７に例示されるような第１表示領域４０が４つの分割領域に分割される場合を例に挙げて説明するが、分割表示モード３６において第１表示領域４０が有する分割領域の数は４つに限られない。
【００３３】
図７に示される例では、表示制御部３１は、第１表示領域４０に対して水平方向に延びる第１分割線４５および垂直方向に延びる第２分割線４６を表示部１６に表示させることで、第１表示領域４０を４つの分割領域４４ａ，４４ｂ，４４ｃ，４４ｄに分割している。
【００３４】
本実施の形態では、便宜上、第１分割線４５と第２分割線４６との交点に対して左上に存在する分割領域を、分割領域４４ａと呼ぶ。同様に、第１分割線４５と第２分割線４６との交点に対して左下に存在する分割領域を分割領域４４ｂと呼び、第１分割線４５と第２分割線４６との交点に対して右下に存在する分割領域を分割領域４４ｃと呼び、第１分割線４５と第２分割線４６との交点に対して右上に存在する分割領域を分割領域４４ｄと呼ぶ。
【００３５】
また、図７に示される分割領域４４ａには、ウェブページを表示するためのブラウザ実行時のアプリケーション実行画像４８が表示されている。分割領域４４ｂには、ゲームアプリケーション実行時のゲームアプリケーション実行画像４９が表示されている。分割領域４４ｃには、上述のアプリケーション実行画像４７が表示されている。分割領域４４ｄには、時間と天気を提供するためのウィジェット実行時のアプリケーション実行画像５０が表示されている。ウィジェットとは、低機能を実現するためのアプリケーションである。ウィジェットには、例えば、あるアプリケーションの実行によって表示される情報の一部を表示するなど、あるアプリケーションの実行によって実現される機能を制限して当該機能の一部を簡易起動させるアプリケーションが含まれる。
【００３６】
また、分割表示モード３６において、操作検出部３０が分割領域に対する操作を検出した場合には、電子機器１は、当該分割領域に表示されているアプリケーション実行画像に対して操作が行われたものとして処理を行う。例えば、図７に示されるように、分割領域４４ｃに地図表示アプリケーション実行時のアプリケーション実行画像４７が表示されている場合に、操作子によって分割領域４４ｃに対するフリック操作が行われると、電子機器１は、分割領域４４ｃに表示される地図の表示範囲を当該操作子の移動方向に移動（スクロール）する。
【００３７】
また、分割表示モード３６では、表示制御部３１は、第１分割線４５と第２分割線４６との交点に、一つの操作対象画像５１を表示させる。操作対象画像５１は、複数の分割領域のそれぞれに対する設定を可能にする、ユーザによって操作される画像である。表示制御部３１は、操作検出部３０で検出された操作対象画像５１に対する操作に基づいて、複数の分割領域のそれぞれに対する設定を行うことが可能である。
【００３８】
＜＜操作対象画像について＞＞
ここでは、表示制御部３１が行う、操作対象画像５１に対する操作に基づいた処理について説明する。図８は、操作対象画像５１に対する操作と、表示制御部３１が行う処理との関係を示す図である。
【００３９】
本実施の形態では、図８に示されるように、操作対象画像５１に対して３種類の操作が行われた場合について説明する。以下の説明では、３種類の操作が、ドラッグ操作（図８のＮｏ．１）、タップ操作（図８のＮｏ．２）、ロングタッチ操作（図８のＮｏ．３）である場合を例に挙げて説明するが、表示制御部３１が行う処理と対応付けられる操作の種類はこれに限られない。例えば、操作検出部３０によって、タップ操作を２回繰り返すダブルタップ操作が検出されたときに、図８のＮｏ．２に示される処理が行われてもよい。また、例えば、操作検出部３０によってタップ操作が検出されたときに図８のＮｏ．３に示される処理を行い、ロングタッチ操作が検出されたときに図８のＮｏ．２に示される処理が行われる等でもよい。本実施の形態においては、一つの操作対象画像５１を操作することによって、複数の分割領域のそれぞれに対する設定が可能になることから、電子機器１の操作性が向上する。
【００４０】
＜操作対象画像に対してドラッグ操作が行われた場合について＞
図８のＮｏ．１に示されるように、操作対象画像５１に対して、操作対象画像５１を移動させるドラッグ操作が行われた場合には、表示制御部３１は、第１表示領域４０に含まれる分割領域のサイズを変更する。より具体的には、表示制御部３１は、操作検出部３０で検出されたドラッグ操作において操作子が移動した移動先と、第１分割線４５および第２分割線４６の交点とが一致するように、第１分割線４５および第２分割線４６を移動させる。言い換えれば、表示制御部３１は、操作検出部３０で検出されたドラッグ操作での操作対象画像５１の移動先と、第１分割線４５および第２分割線４６の交点とが一致するように、第１分割線４５および第２分割線４６を移動させる。第１分割線４５および第２分割線４６の表示位置が移動されることによって、第１分割線４５および第２分割線４６で分割される複数の分割領域のサイズが変更される。ユーザは、操作対象画像５１に対してドラッグ操作を行うことによって、操作対象画像５１を好きな方向に移動させることができる。
【００４１】
図９，１０は、操作検出部３０が操作対象画像５１に対するドラッグ操作を検出したときの、表示部１６の表示例を示す図である。図９，１０及び後述の図１１では、左側に操作子６０でドラッグ操作が行われる前の表示部１６の表示例が示されており、右側に操作子６０でドラッグ操作が行われた後の表示部１６の表示例が示されている。
【００４２】
図９、１０に示される例では、操作対象画像５１に対して右方向に移動するドラッグ操作が行われている。操作子６０によってドラッグ操作が行われたことにより、第２分割線４６は、右方向に移動して表示部１６に表示される。それに伴い、分割領域４４ａ，４４ｂは、水平方向にサイズが大きくなり、分割領域４４ｃ，４４ｄは水平方向にサイズが小さくなる。そして、図９，１０の右側に示されるように、サイズが変更された各分割領域に、アプリケーション実行画像が表示される。
【００４３】
図９には、分割領域の縦横比に合わせて拡縮されたアプリケーション実行画像が、分割領域に表示される例が示されている。図９に示されるように、表示制御部３１は、分割領域４４ａ，４４ｂにそれぞれ表示されているアプリケーション実行画像４８，４７を、水平方向に拡大させた状態で、分割領域４４ａ，４４ｂに表示させる。また、表示制御部３１は、分割領域４４ｃ，４４ｄにそれぞれ表示されているアプリケーション実行画像４９，５０を、水平方向に縮小させた状態で、分割領域４４ｃ，４４ｄに表示させる。
【００４４】
図１０には、アプリケーション実行画像の縦横比を固定とした状態で、分割領域のサイズに合わせて拡縮されたアプリケーション実行画像が、分割領域に表示される例が示されている。図１０の例では、表示制御部３１は、アプリケーション実行画像４８，４７の縦横比を固定とした状態で、アプリケーション実行画像４８，４７を、分割領域４４ａ，４４ｂの拡大にあわせて拡大し、分割領域４４ａ，４４ｂに表示させている。
【００４５】
また図１０の例では、表示制御部３１は、アプリケーション実行画像４９，５０の拡縮を行わない状態で分割領域４４ｃ，４４ｄに表示させている。
【００４６】
上記の例では、ユーザは、操作対象画像５１を好きな方向に移動させることができたが、操作対象画像５１を第１表示領域４０での対角線５２上でしか移動させることができないようにしても良い。図１１には、操作対象画像５１が対角線５２上で移動する様子が示されている。対角線５２は第１表示領域４０の左上から右下に延びている。
【００４７】
このように、操作対象画像５１が対角線５２上でしか移動することができない場合には、分割領域４４ａ，４４ｃの外形は第１表示領域４０の外形と相似形となり、分割領域４４ａ，４４ｃは縦横比が変化しないようにサイズ変更される。これにより、分割領域４４ａ，４４ｃの縦横比が変化することによって、それらに表示されるアプリケーション実行画像の一部が表示されなくなるといったことが発生することを抑制することができる。
【００４８】
例えば、ゲームアプリケーションによっては、その実行時に表示されるアプリケーション実行画像の縦横比が固定で、第１表示領域４０の縦横比と一致することがある。このようなアプリケーション実行画像を例えば分割領域４４ｃに表示する場合に、分割領域４４ｃがサイズ変更されたときに分割領域４４ｃの縦横比が仮に変化すると、サイズ変更後の分割領域４４ｃに当該アプリケーション実行画像をすべて表示できないことがある。図１１の例のように、分割領域４４ａ，４４ｃがその縦横比が変化しないようにサイズ変更されることによって、このようなことが発生することを抑制することができる。
【００４９】
このように、操作対象画像５１の移動先と、第１分割線４５および第２分割線４６の交点とが一致するように第１分割線４５および第２分割線４６が移動することによって、ユーザは直感的に分割領域のサイズを変更させることができる。
【００５０】
なお、分割領域がサイズ変更された場合における、アプリケーション実行画像の拡縮の方法は上記の例には限られない。例えば、複数の分割領域のなかに、アプリケーション実行画像の拡縮が行われない分割領域が存在していてもよい。また、例えば、アプリケーション実行画像の拡縮が行われる複数の分割領域のなかに、アプリケーション実行画像の縦横比が変化しないようにアプリケーション実行画像が表示される分割領域と、分割領域の縦横比に合わせて拡縮されたアプリケーション実行画像が表示される分割領域とが存在していてもよい。
【００５１】
次に、操作検出部３０によって、操作対象画像５１に対する、操作対象画像５１を第１表示領域４０の角に移動させるドラッグ操作が検出された場合における、操作対象画像５１の表示態様を２種類説明する。図１２〜１４は、操作検出部３０によって、操作対象画像５１に対する、操作対象画像５１を第１表示領域の角（具体的には、第１表示領域の右下角）に移動させるドラッグ操作が検出された場合の表示部１６の表示例を示す図である。
【００５２】
図１２の例では、操作検出部３０によって、操作対象画像５１に対する、操作対象画像５１を第１表示領域４０の角に移動させるドラッグ操作が検出された場合には、表示制御部３１は、第１表示領域４０の当該角に操作対象画像５１を表示させる。このとき、操作対象画像５１が第１表示領域４０の角まで移動する前に表示されていた第１分割線４５及び第２分割線４６も第１表示領域４０の端に表示される。図１２に示される表示態様によると、ユーザは操作対象画像５１を第１表示領域４０の角まで移動させたとしても見失うことがない。
【００５３】
一方、図１３の例では、操作検出部３０によって、操作対象画像５１に対する、操作対象画像５１を第１表示領域４０の角に移動させるドラッグ操作が検出された場合には、表示制御部３１は、表示部１６に、操作対象画像５１を非表示にさせる。このとき、第１分割線４５及び第２分割線４６も非表示とされる。
【００５４】
操作対象画像５１が第１表示領域４０の角まで移動して、操作対象画像５１、第１分割線４５及び第２分割線４６が表示されていない場合には、図１４の左側に示されるように、表示制御部３１は、操作検出部３０によって、第１表示領域４０の当該角に対する所定操作が検出されたときに操作対象画像５１、第１分割線４５及び第２分割線４６を表示させる。例えば、表示制御部３１は、操作検出部３０によって、当該角を始点にして当該第１表示領域４０内に向かうスライド操作が検出されたときに、当該スライド操作の終点に操作対象画像５１を表示させるとともに、第１分割線４５及び第２分割線４６を表示させる。図１３，１４に示される表示態様によると、操作対象画像５１の表示が不要な場合には、操作対象画像５１を非表示とすることができる。なお、表示制御部３１は、操作対象画像５１が第１表示領域４０の角まで移動して表示されていない場合に、操作検出部３０によって、第１表示領域４０の当該角に対するタップ操作あるいはダブルタップ操作が検出されたときに、当該角に操作対象画像５１を表示させても良い。このとき、第１分割線４５及び第２分割線４６も表示される。
【００５５】
＜操作対象画像に対してタップ操作が行われた場合について＞
図８のＮｏ．２に示されるように、操作対象画像５１に対してタップ操作が行われた場合には、表示制御部３１は、表示部１６に、複数の分割領域に表示されるアプリケーション実行画像を入れ替えさせる。
【００５６】
図１５，１６は、操作検出部３０が操作対象画像５１に対するタップ操作を検出したときの、表示部１６の表示例を示す図である。図１５，１６では、左側に操作子６０でタップ操作が行われる前の表示部１６の表示例が示されており、右側に操作子６０でタップ操作が行われた後の表示部１６の表示例が示されている。
【００５７】
図１５の例では、操作検出部３０が操作対象画像５１に対するタップ操作を検出した場合には、表示制御部３１は、複数の分割領域に表示されるアプリケーション実行画像を、第１分割線４５および第２分割線４６の交点を基準として時計回りに入れ替えさせる。より具体的には、操作検出部３０が操作対象画像５１に対するタップ操作を検出すると、表示制御部３１は、分割領域４４ａには分割領域４４ｂに表示されていたアプリケーション実行画像４７を表示させ、分割領域４４ｂには分割領域４４ｃに表示されていたアプリケーション実行画像４９を表示させ、分割領域４４ｃには分割領域４４ｄに表示されていたアプリケーション実行画像５０を表示させ、分割領域４４ｄには分割領域４４ａに表示されていたアプリケーション実行画像４８を表示させる。
【００５８】
一方で、図１６の例では、表示制御部３１は、操作検出部３０が操作対象画像５１に対するタップ操作を検出した場合には、複数の分割領域に表示されるアプリケーション実行画像を、第１分割線４５および第２分割線４６の交点を基準として反時計回りに入れ替えさせる。より具体的には、操作検出部３０が操作対象画像５１に対するタップ操作を検出すると、表示制御部３１は、分割領域４４ａには分割領域４４ｄに表示されていたアプリケーション実行画像５０を表示させ、分割領域４４ｂには分割領域４４ａに表示されていたアプリケーション実行画像４８を表示させ、分割領域４４ｃには分割領域４４ｂに表示されていたアプリケーション実行画像４７を表示させ、分割領域４４ｄには分割領域４４ｃに表示されていたアプリケーション実行画像４９を表示させる。
【００５９】
なお、複数の分割領域に表示されるアプリケーション実行画像の入れ替えは、図１５，１６に示される例に限られない。
【００６０】
このように、ユーザは、操作対象画像５１に対して操作を行うことによって、複数の分割領域に表示されるアプリケーション実行画像を入れ替えることができる。したがって、電子機器１の操作性が向上する。例えば、右手で電子機器１を所持して右手で表示領域２ａを操作するユーザは、操作対象画像５１を操作することによって、右手で操作し易い右下の分割領域４４ｃに所望のアプリケーション実行画像を簡単に表示させることができる。また、左手で電子機器１を所持して左手で表示領域２ａを操作するユーザは、操作対象画像５１を操作することによって、左手で操作し易い左下の分割領域４４ｂに所望のアプリケーション実行画像を簡単に表示させることができる。
【００６１】
＜操作対象画像に対してロングタッチ操作が行われた場合について＞
図８のＮｏ．３に示されるように、操作対象画像５１に対してロングタッチ操作が行われた場合には、表示制御部３１は、複数の分割領域に表示するアプリケーション実行画像を設定する設定モード３７に移行する。
【００６２】
図１７は、操作検出部３０が操作対象画像５１に対するロングタッチ操作を検出したときの表示部１６の表示例を示す図である。図１７に示されるように、操作検出部３０が操作対象画像５１に対するロングタッチ操作を検出すると、表示制御部３１は、図１７の右側に示されるように、第１表示領域４０に、複数の分割領域に表示するアプリケーション実行画像を設定するための画像を表示させる。このように、操作対象画像５１に対して簡単な操作を行うことによって、設定モード３７に移行することができるため、電子機器１の操作性が向上する。なお、本実施の形態においては、設定モード３７に移行した場合には、図１７に示されるような表示が、表示部１６に表示される場合について説明するが、設定モード３７における表示部１６の表示はこれに限られない。例えば、後述する設定モード３７において行うことができる設定の一覧を表示部１６に表示させるものであってもよい。
【００６３】
図１７の右側に示されるように、設定モード３７における第１表示領域４０は、第１設定領域７１と、第２設定領域７２と、第３設定領域７３とを有する。第１設定領域７１には、分割表示モードにおける複数の分割領域にそれぞれ対応する複数の第１対応画像７４が表示される。より具体的には、第１対応画像７４ａは分割領域４４ａに対応しており、第１対応画像７４ｂは分割領域４４ｂに対応しており、第１対応画像７４ｃは分割領域４４ｃに対応しており、第１対応画像７４ｄは分割領域４４ｄに対応している。なお、図１７に示されるように、例えば、第１対応画像７４に対応している分割領域に表示されるアプリケーション実行画像が、当該第１対応画像７４として表示されていてもよい。
【００６４】
第２設定領域７２には、分割表示モードにおいて、複数の分割領域に表示することが可能な複数の候補画像にそれぞれ対応する複数の第２対応画像７５が表示される。分割領域に表示することが可能な候補画像とは、本実施の形態では、アプリケーション実行画像である。そして、本実施の形態では、候補画像であるアプリケーション実行画像に対応する第２対応画像７５として、当該アプリケーション実行画像に対応するアプリケーションを象徴的に示す画像が採用されている。
【００６５】
第３設定領域７３には、第２設定領域７２に表示される第２対応画像７５の種類を変更するための複数の設定キー８０が表示される。図１７に示される例では、第３設定領域７３には設定キー８０ａ，８０ｂ，８０ｃ表示される。
【００６６】
設定キー８０ａもしくは設定キー８０ｂが選択されている場合には、第２設定領域７２には、分割領域に表示することが可能なアプリケーション実行画像（候補画像）に対応する第２対応画像７５が、対応するアプリケーション実行画像についてのアプリケーションが実行された時期が新しい順に並べて表示される。実行された時期が新しい順に第２対応画像７５が表示されることにより、ユーザは、所望する第２対応画像７５をすぐに見つけることができる可能性が高くなる。
【００６７】
設定キー８０ｂが選択されている場合には、第２設定領域７２には、複数種類のウィジェットをそれぞれ示す第２対応画像７５が表示される。設定キー８０ａが選択されている場合には、第２設定領域７２には、電話アプリケーション、メールアプリケーション及びブラウザ等の、ウィジェット以外の複数のアプリケーションをそれぞれ示す第２対応画像７５が表示される。設定キー８０ｃが選択されている場合には、後で詳しく述べるが、互いに関連付けられた複数のアプリケーションにそれぞれ対応する複数の第２対応画像７５が、第２設定領域７２に表示される。
【００６８】
図１７の右側に示される例では、設定キー８０ａが選択されている。そして、第２対応画像７５として、ゲームアプリケーション実行時のゲームアプリケーション実行画像４９に対応する第２対応画像７５ａ（ゲームアプリケーションを示す画像）と、地図表示アプリケーション実行時のアプリケーション実行画像４７に対応する第２対応画像７５ｂ（地図表示アプリケーションを示す画像）と、ブラウザ実行時のアプリケーション実行画像４８に対応する第２対応画像７５ｃ（ブラウザを示す画像）と、電子メールの送受信を行うためのメールアプリケーション実行時に得られるアプリケーション実行画像５３に対応する第２対応画像７５ｄ（メールアプリケーションを示す画像）と、他の携帯電話機と通話を行うための電話アプリケーション実行時に得られるアプリケーション実行画像に対応する第２対応画像７５ｅ（電話アプリケーションを示す画像）とが表示されている。
【００６９】
図１８は、第２設定領域７２に表示される第２対応画像７５を変化させる場合の、表示部１６の表示例を示す図である。図１８に示されるように、例えば、操作検出部３０によって第２設定領域７２に対する左方向のフリック操作が検出された場合には、表示制御部３１は、第２設定領域７２の表示を左側にスクロールする。これにより、図１８の例では、第２対応画像７５ａ，７５ｂ，７５ｃが非表示となり、第２対応画像７５ｅの後に表示されるべき、前面側撮像部５ａもしくは裏面側撮像部５ｂによって撮像を行うためのカメラアプリケーション実行時に得られるアプリケーション実行画像に対応する第２対応画像７５ｆ（カメラアプリケーションを示す画像）と、設定した時刻になったことをユーザに知らせるためのアラームアプリケーション実行時に得られるアプリケーション実行画像に対応する第２対応画像７５ｇ（アラームアプリケーションを示す画像）と、電卓機能を実行するための電卓アプリケーション実行時に得られるアプリケーション実行画像に対応する第２対応画像７５ｈ（電卓アプリケーションを示す画像）とが、第２設定領域７２に表示される。なお、操作検出部３０によって第２設定領域７２に対する右方向のフリック操作が検出された場合には、表示制御部３１は第２設定領域７２の表示を右側にスクロールする。
【００７０】
設定モード３７では、ユーザは、第１表示領域４０に対して操作することで、分割表示モード３６において複数の分割領域に表示されるアプリケーション実行画像の設定等を行うことができる。図１９は、設定モード３７において行うことができる設定を示す図である。図１９に示されるように、設定モード３７では、３種類の設定を行うことができる。以下に、設定モード３７時に行うことができる３種類の設定について説明する。
【００７１】
〔アプリケーション実行画像の入れ替え〕
図１９のＮｏ．１に示されるように、設定モード３７では、２つの分割領域に表示されるアプリケーション実行画像の入れ替えを行うことができる。より具体的には、操作検出部３０によって２つの第１対応画像７４に対する所定操作が検出された場合に、表示制御部３１は、表示部１６に、複数の分割領域に含まれる、当該２つの第１対応画像７４にそれぞれ対応する２つの分割領域に表示されるアプリケーション実行画像を入れ替えさせる。図２０は、設定モード３７において、アプリケーション実行画像の入れ替えを行ったときの表示部１６の表示例を示す図である。
【００７２】
図２０に示される例では、操作子６０が第１対応画像７４ｃに対して、第１対応画像７４ｂまで第１対応画像７４ｃを移動するドラッグ操作を行うことで、第１対応画像７４ｃと第１対応画像７４ｂとに対して所定操作が行われたものとしている。しかし、２つの第１対応画像に対する所定操作とは、これに限られず、例えば第１対応画像７４ｃがタップ操作された後に第１対応画像７４ｂがタップ操作されるなどであってもよい。
【００７３】
このように、操作検出部３０によって２つの第１対応画像７４ｂ，７４ｃに対する所定操作が検出された場合に、表示制御部３１は、図２０の右側に示されるように、第１対応画像７４ｃとして表示されていたアプリケーション実行画像４９を第１対応画像７４ｂとして表示させ、第１対応画像７４ｂとして表示されていたアプリケーション実行画像４７を第１対応画像７４ｃとして表示させる。そして、設定モード３７が終了して分割表示モード３６に設定されると、図７に示されるように、分割領域４４ｂには分割領域４４ｃに表示されていたアプリケーション実行画像４９が表示され、分割領域４４ｃには分割領域４４ｂに表示されていたアプリケーション実行画像４７が表示される。
【００７４】
このように、２つの第１対応画像７４に対して所定操作が行われることによって、当該２つの第１対応画像７４にそれぞれ対応する２つの分割領域に表示されるアプリケーション実行画像を入れ替えることができる。したがって、簡単に２つの分割領域に表示されるアプリケーション実行画像を入れ替えることができる。よって、電子機器１の操作性が向上する。
【００７５】
なお、例えば、第２表示領域４１ｂに表示される画像４３ａに対してタップ操作が行われると、設定モード３７から分割表示モード３６に遷移する。
【００７６】
〔アプリケーション実行画像の入れ替えを行わない分割領域（ロック画面）の設定〕
図１９のＮｏ．２に示されるように、設定モード３７では、アプリケーション実行画像の入れ替えを行わない分割領域（ロック画面）の設定を行うことができる。より具体的には、表示制御部３１は、操作検出部３０によって複数の第１対応画像７４のうちの一の第１対応画像７４に対する所定操作が検出された場合には、複数の分割領域に含まれる、当該一の第１対応画像７４に対応する分割領域をアプリケーション実行画像の入れ替えを行わないロック画面に設定する。
【００７７】
図２１はロック画面を設定したときの表示部１６の表示例を示す図である。図２１に示されるように、例えば、操作検出部３０によって第１対応画像７４ｄに対するロングタッチ操作が検出された場合には、表示制御部３１は、第１対応画像７４ｄの上に、ロック画面設定画像７７を表示させる。そして、表示制御部３１は、第１対応画像７４ｄに対応する分割領域４４ｄを、アプリケーション実行画像の入れ替えを行わないロック画面に設定する。なお、ロック画面の設定を行うための所定操作とは、上述したロングタッチ操作に限られない。例えば、タップ操作を２回繰り返すダブルタップ操作が検出された場合に、ロック画面の設定を行うなどでもよい。
【００７８】
このように、アプリケーション実行画像の入れ替えを行わない分割領域を設定することができることから、ユーザは所望のアプリケーション実行画像を常に見やすい位置（分割領域）に表示させることができる。あるいは、ユーザは所望のアプリケーション実行画像を常に操作し易い位置（例えば、右手で電子機器１を持つユーザにとっては、右下の分割領域４４ｃ）に表示させることができる。
【００７９】
〔分割領域に表示させるアプリケーション実行画像の変更〕
図１９のＮｏ．３に示されるように、設定モード３７では、分割領域に表示させるアプリケーション実行画像の変更を行うことができる。より具体的には、操作検出部３０によって、複数の第１対応画像７４に含まれる、ある第１対応画像７４と、複数の第２対応画像７５に含まれる、ある第２対応画像７５とに対する所定操作が検出された場合には、表示制御部３１は、表示部１６に、当該ある第２対応画像７５に対応する、複数の分割領域に表示することが可能な候補画像（アプリケーション実行画像）を、複数の分割領域に含まれる、当該ある第１対応画像７４に対応する分割領域に表示させる。なお、本実施の形態では、第１対応画像７４と第２対応画像７５とに対する所定操作が、当該第２対応画像７５が、操作子６０によって、当該第１対応画像７４まで移動されるドラッグ操作である場合を例に挙げて説明する。しかし、当該所定操作については、これに限られない。
【００８０】
図２２，２３は、第３設定領域７３において、設定キー８０ａが選択されている場合に、分割領域に表示させるアプリケーション実行画像の変更を行ったときの、表示部１６の表示例を示す図である。
【００８１】
図２２に例示されるように、操作検出部３０によって、メールアプリケーション実行時に得られるアプリケーション実行画像５３に対応する第２対応画像７５ｄが、操作子６０によって第１対応画像７４ｃまで移動されるドラッグ操作が検出された場合には、電子機器１においてメールアプリケーションが実行されて、図２２の右側に示されるように、メールアプリケーション実行時に得られるアプリケーション実行画像５３が第１対応画像７４ｃとして表示される。そして、設定モードから分割表示モード３６に移行すると、図２３に示されるように、分割領域４４ｄに、アプリケーション実行画像５３が表示される。
【００８２】
図２４，２５は、第３設定領域７３において、設定キー８０ｂが選択されている場合に、分割領域に表示させるアプリケーション実行画像の変更を行ったときの、表示部１６の表示例を示す図である。
【００８３】
図２４に示されるように、設定キー８０ｂが選択されていることによって、第２設定領域７２には、アプリケーション実行画像５０に対応する第２対応画像７５ｉと、歩数を数えるウィジェットである歩数計アプリケーション実行時に得られるアプリケーション実行画像５４に対応する第２対応画像７５ｊと、アナログ時計の画像で時刻を表示するウィジェット実行時に得られるアプリケーション実行画像に対応する第２対応画像７５ｋとが表示されている。
【００８４】
そして、図２４の左側に例示されるように、操作検出部３０によって、歩数計アプリケーション実行時に得られるアプリケーション実行画像５４に対応する第２対応画像７５ｊが、操作子６０によって第１対応画像７４ａまで移動されるドラッグ操作が検出された場合には、電子機器１では歩数計アプリケーションが実行されて、表示制御部３１は、図２４の右側に示されるように、歩数計アプリケーション実行時に得られるアプリケーション実行画像５４を第１対応画像７４ａとして表示させる。そして、設定モードから分割表示モード３６に移行すると、図２５に示されるように、分割領域４４ａにアプリケーション実行画像５４が表示される。
【００８５】
このように、設定モード３７においては、簡単な操作で、複数種類の候補画像のなかから分割領域に表示させるアプリケーション実行画像を決定することができる。したがって、電子機器１の操作性が向上する。
【００８６】
図２６〜２９は、第３設定領域７３において、設定キー８０ｃが選択されている場合に、分割領域に表示させるアプリケーション実行画像の変更を行ったときの表示部１６の表示例を示す図である。
【００８７】
図２６，２８に示されるように、設定キー８０ｃが選択されている場合には、例えば、第２対応画像７５ｌ〜７５ｎが第２設定領域７２に表示される。第２対応画像７５ｌは、ユーザが人との待ち合わせ時に実行する可能性が高い複数のアプリケーションが実行されることで得られる複数のアプリケーション実行画像に対応している。第２対応画像７５ｍは、ユーザが通勤時に実行する可能性が高い複数のアプリケーションが実行されることで得られる複数のアプリケーション実行画像に対応している。第２対応画像７５ｎは、ユーザが健康管理のために実行する可能性が高い複数のアプリケーションが実行されることで得られる複数のアプリケーション実行画像に対応している。
【００８８】
図２６に示されるように、例えば、操作検出部３０によって、第２対応画像７５ｌを選択する操作が検出された場合には、表示制御部３１は、第２対応画像７５ｌに対応付けられた複数のアプリケーション実行画像を第１対応画像７４ａ，７４ｂ，７４ｃ，７４ｄとして、第１設定領域７１に表示させる。本実施の形態では、ユーザが人との待ち合わせ時に実行する可能性が高い複数のアプリケーションとして、飲食店などの情報を提供するための情報提供アプリケーションと、メールアプリケーションと、地図表示アプリケーションと、歩数計アプリケーションとが予め互いに対応付けられている。第２対応画像７５ｌが選択されると、電子機器１では、飲食店などの情報を提供するための情報提供アプリケーションと、メールアプリケーションと、地図表示アプリケーションと、歩数計アプリケーションとが実行されて、表示制御部３１は、飲食店などの情報を提供するための情報提供アプリケーションが実行されることで得られるアプリケーション実行画像５５を第１対応画像７４ａとして表示させ、メールアプリケーション実行時に得られるアプリケーション実行画像５３を第１対応画像７４ｂとして表示させ、地図表示アプリケーション実行時に得られるアプリケーション実行画像４７を第１対応画像７４ｃとして表示させ、歩数計アプリケーション実行時に得られるアプリケーション実行画像５４を第１対応画像７４ｄとして、第１設定領域７１に表示させる。
【００８９】
そして、設定モード３７から分割表示モード３６に移行すると、図２７に示されるように、分割領域４４ａにアプリケーション実行画像５５が表示され、分割領域４４ｂにアプリケーション実行画像５３が表示され、分割領域４４ｃにアプリケーション実行画像４７が表示され、分割領域４４ｄにアプリケーション実行画像５４が表示される。
【００９０】
また、図２８に示されるように、例えば、操作検出部３０によって、第２対応画像７５ｍを選択する操作が検出された場合には、表示制御部３１は、第２対応画像７５ｍに対応付けられた複数のアプリケーション実行画像を第１対応画像７４ａ，７４ｂ，７４ｃ，７４ｄとして、第１設定領域７１に表示させる。本実施の形態では、ユーザが通勤時に実行する可能性が高い複数のアプリケーションとして、電車の時刻表の情報を提供する情報提供アプリケーションと、電車の遅延情報を提供する情報提供アプリケーションと、登録された予定を保存するスケジュールアプリケーションと、天気の情報を提供する情報提供アプリケーションとが予め互いに対応付けられている。第２対応画像７５ｍが選択されると、電子機器１では、電車の時刻表の情報を提供する情報提供アプリケーションと、電車の遅延情報を提供する情報提供アプリケーションと、スケジュールアプリケーションと、天気の情報を提供する情報提供アプリケーションとが実行されて、表示制御部３１は、電車の時刻表の情報を提供する情報提供アプリケーションを実行することで得られるアプリケーション実行画像５６を第１対応画像７４ａとして表示させ、電車の遅延情報を提供する情報提供アプリケーションを実行することで得られるアプリケーション実行画像５７を第１対応画像７４ｂとして表示させ、スケジュールアプリケーションを実行することで得られるアプリケーション実行画像５８を第１対応画像７４ｃとして表示させ、天気の情報を提供する情報提供アプリケーションを実行することで得られるアプリケーション実行画像５９を第１対応画像７４ｄとして表示させる。
【００９１】
そして、設定モードから分割表示モード３６に移行すると、図２９に示されるように、分割領域４４ａにアプリケーション実行画像５６が表示され、分割領域４４ｂにアプリケーション実行画像５７が表示され、分割領域４４ｃにアプリケーション実行画像５８が表示され、分割領域４４ｄにアプリケーション実行画像５９が表示される。
【００９２】
このように、設定キー８０ｃが選択されている場合には、簡単な操作によって、互いに関連付けられた複数のアプリケーションが実行されることで得られる複数のアプリケーション実行画像を複数の分割領域に表示させることができる。したがって、電子機器１の操作性が向上する。
【００９３】
また、適切に関連付けられた複数のアプリケーションが実行されることで得られる複数のアプリケーション実行画像が複数の分割領域に表示されることによって、ユーザは所望の複数のアプリケーション実行画像を同時に確認することができる。
【００９４】
なお、ユーザが、表示領域２ａを操作することによって、互いに関連付ける複数のアプリケーションを設定することができるように電子機器１を構成しても良い。
【００９５】
＜＜分割領域が有する辺に対する操作について＞＞
ここでは、分割表示モード３６において、操作子６０によって、分割領域が有する辺に対して操作が行われた場合の表示制御部３１の動作について説明する。図３０は、分割表示モード３６において、分割領域が有する辺に対して操作が行われた場合の、表示制御部３１が行う処理を説明するための図である。図３０に示される３種類の処理について、以下に説明する。
【００９６】
＜アプリケーション実行画像の入れ替え＞
図３０のＮｏ．１に示されるように、分割表示モード３６において、分割領域が有する辺に対して所定操作を行うことで、アプリケーション実行画像の入れ替えを行うことができる。ここで、図３０のＮｏ．１では、アプリケーション実行画像の入れ替えを、直感的かつ簡単な操作で行うために、当該入れ替えを行う際に操作される分割領域の辺を、分割領域が有する辺のうちの第１分割線４５あるいは第２分割線４６に含まれる辺とする。具体的には、操作検出部３０によって、第１分割線４５あるいは第２分割線４６に対する所定操作が検出された場合には、表示制御部３１は、表示部１６に、複数の分割領域に含まれる、第１分割線４５あるいは第２分割線４６での操作された箇所を間に挟む２つの分割領域に表示されているアプリケーション実行画像を入れ替えさせる。
【００９７】
図３１は、表示部１６の表示例を示す図である。ここでは、第１分割線４５あるいは第２分割線４６に対する所定操作が、第１分割線４５あるいは第２分割線４６に対するタップ操作である場合を例に挙げて説明する。しかし、第１分割線４５あるいは第２分割線４６に対する所定操作はこれに限られず、例えば、第１分割線４５あるいは第２分割線４６に対するロングタッチ操作などであってもよい。
【００９８】
図３１の左側に示されるように、操作検出部３０によって第１分割線４５のうちの分割領域４４ｃ，４４ｄの１辺に該当する部分に対するタップ操作が検出された場合には、表示制御部３１は、図３１の右側に示されるように、表示部１６に、タップ操作が行われた箇所を間に挟む２つの分割領域４４ｃ，４４ｄに表示されているアプリケーション実行画像を入れ替えさせる。つまり、表示制御部３１は、分割領域４４ｄに表示されていたアプリケーション実行画像５０を分割領域４４ｃに表示させ、分割領域４４ｃに表示されていたアプリケーション実行画像４７を分割領域４４ｄに表示させる。このように、分割領域が有する辺に対する簡単な操作によって、アプリケーション実行画像の入れ替えを行うことができる。したがって、電子機器１の操作性が向上する。
【００９９】
〔アプリケーション実行画像の入れ替えを行わない分割領域（ロック画面）の設定〕
図３０のＮｏ．２に示されるように、分割表示モード３６において、分割領域が有する辺に対して所定操作を行うことで、アプリケーション実行画像の入れ替えを行わない分割領域（ロック画面）の設定を行うことができる。より具体的には、操作検出部３０によって、複数の分割領域のうちの一の分割領域の２つの辺に対する所定操作が検出された場合には、表示制御部３１は、当該一の分割領域を、アプリケーション実行画像の入れ替えを行わない分割領域として設定する。
【０１００】
図３２は、表示部１６の表示例を示す図である。ここでは、分割領域が有する２つの辺に対する所定操作が、分割領域が有する２つの辺に対するタップ操作である場合を例に挙げて説明する。しかし、分割領域の２つの辺に対する所定操作はこれに限られない。
【０１０１】
図３２に示されるように、操作検出部３０によって、分割領域４４ｃにおける水平方向の一辺と、分割領域４４ｃにおける垂直方向の一辺とに対するタップ操作が検出された場合には、表示制御部３１は、分割領域４４ｃをアプリケーション実行画像の入れ替えを行わないロック画面に設定する。ユーザが、例えば、人差し指と中指とで、分割領域４４ｃにおける水平方向の一辺と、分割領域４４ｃにおける垂直方向の一辺とを同時にタップ操作したとき、表示制御部３１は、分割領域４４ｃをアプリケーション実行画像の入れ替えを行わないロック画面に設定する。このように、アプリケーション実行画像の入れ替えを行わない分割領域を簡単に設定できるため、電子機器１の操作性が向上する。
【０１０２】
〔アプリケーション実行画像を非表示にする〕
図３０のＮｏ．３に示されるように、分割表示モード３６において、分割領域が有する辺に対して所定操作を行うことで、アプリケーション実行画像を非表示にすることができる。より具体的には、操作検出部３０によって、複数の分割領域のうち、アプリケーション実行画像が表示される一の分割領域が有する２つの辺に対する所定操作が検出された場合には、表示制御部３１は、表示部１６に、当該一の分割領域に表示されるアプリケーション実行画像を非表示にさせる。
【０１０３】
図３３は、表示部１６の表示例を示す図である。ここでは、分割領域が有する２つの辺に対する所定操作が、分割領域が有する２つの辺を始点としたフリック操作である場合について説明する。しかし、分割領域が有する２つの辺に対する所定操作は、これに限られない。
【０１０４】
図３３の左側に示されるように、操作検出部３０によって、分割領域４４ｃにおける水平方向の一辺（第１分割線４５の一部）と、分割領域４４ｃにおける垂直方向の一辺（第２分割線４６の一部）とを始点としたフリック操作が検出された場合には、表示制御部３１は、表示部１６に、分割領域４４ｃに表示されていたアプリケーション実行画像４７を非表示にさせる。このように、分割領域が有する辺に対する操作によって、第１表示領域４０において表示不要なアプリケーション実行画像を簡単に非表示とすることができる。したがって、電子機器１の操作性が向上する。
【０１０５】
また、図３３の右側に示されるように、アプリケーション実行画像４７が非表示とされた分割領域４４ｃには、複数のアプリケーションにそれぞれ対応する複数のアプリケーション対応画像を表示させてもよい。図３３に示される例では、ゲームアプリケーションに対応するアプリケーション対応画像７８ａと、地図表示アプリケーションに対応するアプリケーション対応画像７８ｂと、ブラウザに対応するアプリケーション対応画像７８ｃと、カメラアプリケーションに対応するアプリケーション対応画像７８ｄと、アラームアプリケーションに対応するアプリケーション対応画像７８ｅと、電卓アプリケーションに対応するアプリケーション対応画像７８ｆと、メールアプリケーションに対応するアプリケーション対応画像７８ｇとが、アプリケーション実行画像４７が非表示とされた分割領域４４ｃに表示されている。アプリケーションに対応するアプリケーション対応画像は、当該アプリケーションを象徴的に示している。なお、本実施の形態では、アプリケーション実行画像が非表示とされた分割領域に表示されるアプリケーション対応画像は、設定モード３７での第２設定領域７２に表示される第２対応画像７５と同様のものである。
【０１０６】
操作検出部３０によって、メールアプリケーションに対応するアプリケーション実行画像７８ｇが選択される操作が検出されると、電子機器１ではメールアプリケーションが実行されて、表示制御部３１は、図３４に示されるように、メールアプリケーションが実行されることで得られるアプリケーション実行画像５３を分割領域４４ｃに表示させる。このように、アプリケーション実行画像が非表示となった分割領域に複数のアプリケーション対応画像が表示されるため、ユーザは、当該分割領域に表示させるアプリケーション実行画像を簡単に設定することができる。
【０１０７】
＜＜分割表示モード移行直後に表示されるアプリケーション実行画像について＞＞
ここでは、分割表示モード３６へ移行直後のときに、第１表示領域４０に表示されるアプリケーション実行画像について説明する。前述したように、操作検出部３０によって画像４３ｄ（図６参照）へのタップ操作が検出された場合に、表示制御部３１は、分割表示モード３６に移行する。ここで、分割表示モード３６へ移行直後のときに、第１表示領域４０における複数の分割領域に表示されるアプリケーション実行画像は、分割表示モード３６への移行直前に（つまり、通常表示モード３５において）第１表示領域４０に表示されている内容によって変化する。
【０１０８】
図３５は、分割表示モード３６へ移行前の通常表示モード３５のときに第１表示領域４０に表示されている内容と、分割表示モード３６へ移行直後のときに、第１表示領域４０に表示される内容との関係を示す図である。図３５に示されるように、分割表示モード３６へ移行直後のときに、第１表示領域４０に表示される表示態様は２種類存在する。図３６，３７は通常表示モード３５から分割表示モード３６へと移行したときの、表示部１６の表示例を示す図である。分割表示モード３６へ移行直後のときに、第１表示領域４０に表示される２種類の表示態様について、図３５〜３７に基づいて以下に説明する。
【０１０９】
１つ目の表示態様（図３５のＮｏ．１）は、通常表示モード３５のときにアプリケーション実行画像以外の画像が表示されている場合である。アプリケーション実行画像以外の画像とは、例えば、図３６の左側に示されるような、電子機器１の起動直後や画像４３ｂがタップ操作されたときに表示されるホーム画像６１が挙げられる。このように、アプリケーション実行画像が第１表示領域４０に表示されていない状態で、操作検出部３０によって、画像４３ｄを選択する操作が検出された場合には、電子機器１では、実行された時期が新しい順に選択された複数のアプリケーションが実行され、表示制御部３１は、表示部１６に、当該複数のアプリケーションにそれぞれ対応する複数のアプリケーション実行画像を複数の分割領域にそれぞれ表示させる。
【０１１０】
図３６に示される例では、メールアプリケーション、ゲームアプリケーション、電卓アプリケーション、ブラウザの順に実行された時期が新しいものとする。この場合には、表示制御部３１は、図３６の右側に示されるように、例えば、右手で電子機器１の保持および操作を行う場合に、複数の分割領域のなかで一番操作がしやすい右下の分割領域４４ｃに最も新しく実行されたメールアプリケーションの実行時に得られるアプリケーション実行画像５３を表示させる。また、表示制御部３４は、分割領域４４ｂにゲームアプリケーション実行時に得られるアプリケーション実行画像４９を表示させ、分割領域４４ｄに電卓アプリケーション実行時に得られるアプリケーション実行画像６２を表示させる。そして、表示制御部３４は、複数の分割領域のなかで最も操作がし辛い左上の分割領域４４ａに、第１表示領域４０に表示されるアプリケーション実行画像のなかで最も実行された時期が古いブラウザ実行時に得られるアプリケーション実行画像４８を表示させる。
【０１１１】
このように、アプリケーション実行画像が表示されていない状態で分割表示モード３６に移行された場合には、実行された時期が新しい順に選択された複数のアプリケーションにそれぞれ対応する複数のアプリケーション実行画像が複数の分割領域に表示される。したがって、ユーザは最近実行されたアプリケーションについてのアプリケーション実行画像を確認することができる。
【０１１２】
次に、２つ目の表示態様（図３５のＮｏ．２）は、通常表示モード３５のときにアプリケーション実行画像が表示されている場合である。より具体的には、第１のアプリケーション実行画像が第１表示領域４０に表示されている状態で、操作検出部３０によって、画像４３ｄを選択する操作が検出された場合には、表示制御部３１は、表示部１６に、第１のアプリケーション実行画像と、実行された時期が最も新しい第２のアプリケーションに対応する第２のアプリケーション実行画像とを複数の分割領域に表示させる。なお、実行された時期が最も新しい第２のアプリケーションには、実行された時期が新しい順に選択された複数のアプリケーションが含まれるものとする。また、第２のアプリケーション実行画像には、実行された時期が新しい順に選択された複数のアプリケーションにそれぞれ対応する複数のアプリケーション実行画像が含まれるものとする。
【０１１３】
図３７に示される例では、図３６で示される例と同様に、メールアプリケーション、ゲームアプリケーション、電卓アプリケーションの順に実行された時期が新しいものとする。
【０１１４】
図３７の左側に示されるように、通常表示モード３５のときに、地図表示アプリケーションが実行されており、地図実行アプリケーション実行時に得られるアプリケーション実行画像４７（第１のアプリケーション実行画像）が第１表示領域４０に表示されている。この状態で、操作検出部３０によって、画像４３ｄを選択する操作が検出されると、表示制御部３１は、図３７の右側に示されるように、例えば、右手で電子機器１の保持および操作を行う場合に、複数の分割領域のなかで一番操作がしやすい右下の分割領域４４ｃに、分割表示モードへ移行直前に第１表示領域４０に表示されていたアプリケーション実行画像４７（第１のアプリケーション実行画像）を表示させる。また、表示制御部３１は、分割領域４４ｂに実行された時期が最も新しいメールアプリケーション実行時に得られるアプリケーション実行画像５３（第２のアプリケーション実行画像）を表示させ、分割領域４４ｄにゲームアプリケーション実行時に得られるアプリケーション実行画像４９（第２のアプリケーション実行画像）を表示させる。そして、表示制御部３１は、複数の分割領域のなかで最も操作がし辛い左上の分割領域４４ａに、第１表示領域４０に表示されるアプリケーション実行画像のうち一番実行された時期が古い電卓アプリケーション実行時に得られるアプリケーション実行画像６２（第２のアプリケーション実行画像）を表示させる。
【０１１５】
このように、第１のアプリケーション実行画像が表示されている状態で分割表示モード３６に移行された場合には、当該第１のアプリケーション実行画像と、実行された時期が最も新しい第２のアプリケーションプログラムに対応する第２のアプリケーション実行画像とが複数の分割領域に表示される。したがって、ユーザは、実行中のアプリケーションについてのアプリケーション実行画像と、最近実行されたアプリケーションについてのアプリケーション実行画像とを同時に確認することができる。
【０１１６】
＜＜分割表示モードにおける分割領域の表示態様について＞＞
ここでは、分割表示モードにおける分割領域の表示態様の各種例について説明する。
【０１１７】
＜複数の分割領域に同じアプリケーションから得られるアプリケーション実行画像を表示＞
上述した実施の形態では、複数の分割領域には、互いに異なる複数のアプリケーションからそれぞれ得られる複数のアプリケーション実行画像が表示されていた。しかし、複数の分割領域には、同一のアプリケーションから得られる複数のアプリケーション実行画像を表示させてもよい。
【０１１８】
図３８は、ブラウザが複数回実行されることによって、ブラウザ実行時のアプリケーション実行画像が複数の分割領域に同時に表示されているときの表示部１６の表示例を示す図である。図３８に示されるように、分割領域４４ａには、ブラウザ実行時に得られるアプリケーション実行画像４８ａが表示され、分割領域４４ｂには、ブラウザ実行時に得られるアプリケーション実行画像４８ｂが表示され、分割領域４４ｃには、ブラウザ実行時に得られるアプリケーション実行画像４８ｃが表示され、分割領域４４ｄには、ブラウザ実行時に得られるアプリケーション実行画像４８ｄが表示される。ユーザは、複数の分割領域に表示される、ブラウザに対する複数のアプリケーション実行画像４８ａ〜４８ｄのそれぞれに対して独立に操作することが可能である。
【０１１９】
一方、図３９は、分割表示モード３６を有さない電子機器において、ブラウザ実行時に得られるアプリケーション実行画像４８ａ，４８ｂ，４８ｃ，４８ｄを表示させた場合の、表示部１６の表示例を示す図である。図３９に示されるように、第１表示領域４０には、アプリケーション実行画像４８ａ，４８ｂ，４８ｃ，４８ｄの一部が表示される。分割表示モード３６を有さない電子機器において、例えば、操作検出部３０によって、アプリケーション実行画像４８ａに対する選択操作が検出されると、表示制御部３１は、第１表示領域４０に、選択操作が行われたアプリケーション実行画像４８ａのみを表示させる。分割表示モード３６を有さない電子機器において、複数のアプリケーション実行画像に含まれる、あるアプリケーション実行画像に対してスクロール操作等の操作を行う場合には、ユーザは当該あるアプリケーション実行画像を選択し、第１表示領域４０に当該あるアプリケーション実行画像のみを表示させた後、当該あるアプリケーション実行画像に対して操作を行わなければならない。
【０１２０】
それに対して、電子機器１では、分割表示モード３６においては、操作検出部３０によって、分割領域に対する操作が検出された場合には、当該操作が検出された分割領域に表示されているアプリケーション実行画像に対して操作が行われたものとして処理を行う。したがって、分割表示モード３６を有さない電子機器とは異なり、操作を行うアプリケーション実行画像を選択する操作を行う必要がない。したがって、電子機器１の操作性が向上する。
【０１２１】
また、同一のアプリケーションによって得られる複数のアプリケーション実行画像を、複数の分割領域に表示させることで、ユーザは関連するアプリケーション実行画像を同時に確認することができる。したがって、電子機器１の操作性が向上する。
【０１２２】
＜複数の分割領域に他の電子機器から送信される動画を表示＞
ここでは、複数の分割領域に他の電子機器から送信される動画を表示させる場合について説明する。図４０は、電子機器１で、複数の分割領域で他の電子機器から送信される動画が表示させる例を説明するための図である。図４０の例では、電子機器１は、そのユーザの長男１１１、次男１１２及び長女１１３がそれぞれ有する携帯電話機１０１，１０２，１０３と通信を行う。携帯電話機１０１，１０２，１０３のそれぞれは、自身に設けられた撮像部で取得される動画を電子機器１に送信する。また電子機器１は、そのユーザが住む家１１４に設置された防犯カメラ１０４と通信する。防犯カメラ１０４は、自身に設けられた撮像部で取得される動画を電子機器１に送信する。
【０１２３】
また、電子機器１の記憶部１３には、携帯電話機１０１から送信される動画を再生するための第１動画再生アプリケーションと、携帯電話機１０２から送信される動画を再生するための第２動画再生アプリケーションと、携帯電話機１０３から送信される動画を再生するための第３動画再生アプリケーションと、防犯カメラ１０４から送信される動画を再生するための第４動画再生アプリケーションが記憶されている。
【０１２４】
図４１は、設定モード時における表示部１６の表示例である。図４１に示されるように、第２設定領域７２には、第１動画再生アプリケーション実行時に得られるアプリケーション実行画像に対応する第２対応画像７５ｏと、第２動画再生アプリケーション実行時に得られるアプリケーション実行画像に対応する第２対応画像７５ｐと、第３動画再生アプリケーション実行時に得られるアプリケーション実行画像に対応する第２対応画像７５ｑと、防犯カメラ１０４から送信された動画を再生させるための第４動画再生アプリケーション実行時に得られるアプリケーション実行画像に対応する第２対応画像７５ｒと、第２対応画像７５ａとが表示されている。そして、図７に示される設定モード３７において、第２対応画像７５ｒに対応するアプリケーション実行画像を分割領域４４ａに表示させる操作と、第２対応画像７５ｏに対応するアプリケーション実行画像を分割領域４４ｂに表示させる操作と、第２対応画像７５ｐに対応するアプリケーション実行画像を分割領域４４ｃに表示させる操作と、第２対応画像７５ｑに対応するアプリケーションを分割領域４４ｄに表示させる操作とを行った後に、分割表示モード３６に移行させると、図４２に示されるように、複数の分割領域に、携帯電話機１０１，１０２，１０３および防犯カメラ１０４から送信される動画が表示される。
【０１２５】
図４２は、携帯電話機１０１〜１０３および防犯カメラ１０４から送信された複数の動画を、分割表示モード３６において再生（表示）した場合の表示部１６の表示例を示す図である。図４２に示されるように、防犯カメラ１０４からの動画が、アプリケーション実行画像６３ａとして分割領域４４ａに表示される。同様に、分割領域４４ｂには、携帯電話機１０１から送信された動画がアプリケーション実行画像６３ｂとして表示され、分割領域４４ｃには、携帯電話機１０２から送信された動画がアプリケーション実行画像６３ｃとして表示され、分割領域４４ｄには、携帯電話機１０３から送信された動画がアプリケーション実行画像６３ｄとして表示される。
【０１２６】
＜分割領域に表示されるアプリケーション実行画像を見えにくくする＞
ここでは、分割領域に表示される情報を見えにくくする表示態様について説明する。図４３は、表示部１６の表示例の一例を示す図である。
【０１２７】
図４３に示される例では、分割領域４４ａに情報提供アプリケーション実行時のアプリケーション実行画像５０が表示され、分割領域４４ｂにゲームアプリケーション実行時のアプリケーション実行画像４９が表示され、分割領域４４ｃに地図表示アプリケーション実行時のアプリケーション実行画像４７が表示され、分割領域４４ｄにメールアプリケーション実行時のアプリケーション実行画像５３が表示されている。
【０１２８】
ここで、メールアプリケーション実行時に得られるアプリケーション実行画像５３を表示する分割領域４４ｄには、個人的なやりとりが行われた受信メールや送信メールが表示されることもあり、プライバシーの観点から、当該分割領域４４ｄの表示を見えにくくすることが望まれる。
【０１２９】
したがって、本実施の形態では、図４４に示されるような表示態様によって、分割領域４４ｄに表示されるアプリケーション実行画像５３を見えにくくする。図４４は表示部１６の表示例の一例を示す図である。
【０１３０】
図４４に示される例では、表示領域２ａに対して所定操作が行われると、表示制御部３１は、分割領域４４ｄに、例えば、アプリケーション実行画像５３と、所定の模様を示す画像とを合成させることで得られる合成画像５３ａを表示させる。この所定操作としては、分割領域４４ｄに対するロングタッチ操作等が考えられる。これにより、分割領域４４ｄに表示されるアプリケーション実行画像５３が見えにくくなる。したがって、アプリケーション実行画像５３に含まれる情報が、のぞき見などによって電子機器１のユーザ以外の人間に把握される可能性を低くすることができる。その結果、分割領域４４ｄの表示の秘匿性を高めることができる。
【０１３１】
なお、分割領域４４ｄの視野角を狭くすることにより、分割領域４４ｄに表示される情報を見えにくくしてもよい。例えば、表示装置１７が液晶表示ディスプレイである場合には、液晶表示ディスプレイが有する液晶に対して電圧を印加して、液晶の配向状態を変化させることで、液晶ディスプレイによる表示の視野角を狭くすることができる。したがって、液晶ディスプレイ（表示装置１７）における分割領域４４ｄの表示を行うための液晶の配向状態を変化させて、分割領域４４ｄの視野角を狭くすることで、分割領域４４ｄに表示されるアプリケーション実行画像を見えにくくすることができる。
【０１３２】
また、電子機器１の前面側を撮像する前面側撮像部５ａにおいて人が撮像された場合に、複数の分割領域のすべてに表示されるアプリケーション実行画像を見えにくくしてもよい。
【０１３３】
また、電子機器１の前面側を撮像する前面側撮像部５ａにおいて人が撮像された場合に、秘匿性が望まれるアプリケーション実行画像（例えば、メールアプリケーション実行時のアプリケーション実行画像）を表示する分割領域が表示する当該アプリケーション実行画像を見えにくくしてもよい。
【０１３４】
また、表示領域２ａに対して所定操作が行われると、図４５に示されるように、表示制御部３１は、アプリケーション実行画像５３の代わりにそれとは異なるマスク画像６４を分割領域４４ｄに表示しても良い。この場合には、操作検出部３０によって分割領域４４ｄに対する操作が検出された場合には、表示制御部３１は、分割領域４４ｄの表示を元に戻して、メールアプリケーション実行時のアプリケーション実行画像５３を表示させる。
【０１３５】
このように、分割領域の表示を別の表示に置き換えることによって、分割領域４４ｄの表示の秘匿性を高めることができる。
【０１３６】
なお、表示制御部３１は、分割領域に表示されるアプリケーション実行画像に対して所定時間以上操作が全く行われない場合に、当該アプリケーション実行画像の代わりにマスク画像を当該分割領域に表示しても良い。
【０１３７】
また、電子機器１の前面側を撮像する前面側撮像部５ａにおいて人が撮像された場合に、複数の分割領域のすべての表示を別の表示に置き換えても良い。
【０１３８】
また、電子機器１の前面側を撮像する前面側撮像部５ａにおいて人が撮像された場合に、秘匿性が望まれるアプリケーション実行画像を表示する分割領域の表示を別の表示に置き換えても良い。
【０１３９】
＜＜第二実施形態＞＞
前述した第一実施形態では、操作対象画像５１が、第１表示領域４０のなかの第１分割線４５および第２分割線４６の交点に表示される。第二実施形態では、操作対象画像５１が、第１表示領域４０のなかの第１分割線４５および第２分割線４６の交点に表示されない場合について説明する。まず、本実施の形態における操作対象画像５１の表示について説明する。操作対象画像５１が操作された際の電子機器１での処理については第一実施形態と同様である。
【０１４０】
＜第二実施形態における操作対象画像について＞
第二実施形態では、片手で電子機器１の保持および操作を行うときに、操作がし易い位置に操作対象画像５１を表示させる。図４６は、右手２００で電子機器１の保持および操作を行うときを説明するための図である。
【０１４１】
図４６に示されるように、右手で電子機器１の保持および操作を行う場合には、親指が表示部１６に対して操作を行う操作子６０となる可能性が高い。したがって、操作対象画像５１が表示される位置は親指（操作子６０）で操作がしやすい位置とする。
【０１４２】
図４６に示されるように、親指（操作子６０）は、電子機器１の右側から表示部１６の表示領域２ａに対して操作を行うため、表示領域２ａの左側端部より、右側端部の方が操作し易い。また、図４６に示されるように電子機器１を保持した場合には、親指（操作子６０）の稼働域の問題上、表示領域２ａの上端部より下端部の方が操作しやすい。
【０１４３】
以上のことより、本実施の形態では、右手で電子機器１の保持および操作を行う場合を想定して、表示制御部３１は、表示部１６に、表示領域２ａの下端部あるいは右側端部に操作対象画像５１を表示させる。
【０１４４】
図４７，４８は、共に、表示部１６の表示例を示す図である。図４７に示される例では、操作対象画像５１は、表示領域２ａの下端部かつ右側端部、つまり右下角部に表示されている。また、図４８に示される例では、操作対象画像５１は、表示領域２ａの右側端部（詳細には第１表示領域２ａの右上角部）に表示されている。このように、操作対象画像５１が、表示領域２ａの下端部あるいは右側端部に表示されるため、右手で電子機器１を持つユーザは操作対象画像５１を右手で操作し易くなる。したがって、電子機器１の操作性が向上する。
【０１４５】
また、図４７で示される例のように、第２表示領域４１に操作対象画像５１を表示させることで、第１表示領域４０の表示を邪魔することなく、操作対象画像５１を表示させることができる。
【０１４６】
操作対象画像５１については、分割表示モードにおいて、常に表示されていても良いし、表示領域２ａに対する所定操作によって操作対象画像５１の表示／非表示が切り換えられても良い。図４９は、表示領域２ａに対する所定操作によって操作対象画像５１が表示される様子の一例を示す図である。図４９の例では、表示領域２ａに対する所定操作が行われると、第１表示領域４０の右下角部に操作対象画像５１が表示される。
【０１４７】
表示制御部３１は、操作検出部３０によって、例えば、第１表示領域４０の右下角を始点にして当該第１表示領域４０内に向かうスライド操作が検出されたときに、第１表示領域４０の右下角部に操作対象画像５１を表示する。
【０１４８】
また、表示制御部３１は、操作検出部３０によって、第１表示領域４０に表示される操作対象画像５１を始点にして第１表示領域４０の右下角に向かうスライド操作が検出されたときに、操作対象画像５１を非表示する。
【０１４９】
このように、表示領域２ａに対する所定操作によって操作対象画像５１の表示／非表示が切り換えられることによって、ユーザは必要なときにだけ操作対象画像５１を表示することができる。なお、操作対象画像５１の表示／非表示を切り換えるための表示領域２ａに対する操作については上記以外の操作であっても良い。
【０１５０】
＜第二実施形態における分割領域のサイズ変更について＞
記述した第一実施形態においては、第１分割線４５および第２分割線４６の交点に表示される操作対象画像５１に対してドラッグ操作を行うことによって、直感的に第１分割線４５および第２分割線４６の表示位置を変化させ、第１分割線４５および第２分割線４６によって分割される分割領域のサイズを変更していた。ここでは、操作対象画像５１が、第１分割線４５および第２分割線４６の交点に表示されない第二実施形態における分割領域のサイズ変更について説明する。なお、分割表示モード３５における分割領域のサイズ変更以外の第一実施形態で説明した処理は、第二実施形態でも採用することができる。
【０１５１】
第二実施形態においては、操作検出部３０によって、第１分割線４５および第２分割線４６のうちの一方の端部に対する分割線移動操作（分割線を移動させるドラッグ操作）が検出された場合に、表示制御部３１は、表示部１６に、第１分割線４５および第２分割線４６のうちの分割線移動操作が検出された分割線の表示位置を移動させる。
【０１５２】
図５０は、表示部１６の表示例を示す図である。図５０の左側に示されるように、例えば、操作検出部３０によって、第１分割線４５の右側端部に対して上下方向のドラッグ操作が検出された場合には、図５０の右側に示されるように、表示制御部３１は、第１分割線４５の表示位置を当該ドラッグ操作の終点に表示させる。このとき、第２分割線４６は移動しない。第１分割線４５の表示位置が変化したことによって複数の分割領域のサイズが変更され、当該サイズ変更後の分割領域にアプリケーション実行画像が表示される。図５０に示される例では、分割領域４４ａ，４４ｂ，４４ｃ，４４ｄに表示されるアプリケーション実行画像４７，４９，４８，５０は、分割領域の縦横比に合わせてアプリケーション実行画像が拡縮された状態で分割領域４４ａ，４４ｂ，４４ｃ，４４ｄに表示される例を示している（拡縮の考え方は図９に示される例と同じ）。
【０１５３】
一方で、操作検出部３０によって、第２分割線４６の下側端部に対して左右方向のドラッグ操作が検出された場合には、表示制御部３１は、第２分割線４６の表示位置を当該ドラッグ操作の終点に表示させる。このとき、第１分割線４５は移動しない。
【０１５４】
このように、第１分割線４５の右側端部及び第２分割線４６の下側端部に対して分割線移動操作が行われることによって分割領域のサイズが変更されることから、ユーザは右手で簡単に分割領域のサイズを電子機器１に変更させることができる。
【０１５５】
また、図５１に示されるように、第１分割線４５および第２分割線４６のうちの一方の端部に対する分割線移動操作が行われた際には、特定の分割領域の縦横比が変化しないように各分割領域のサイズが変更されても良い。図５１，５２は表示部１６の表示例を示す図である。
【０１５６】
図５１の左側に示されるように、操作検出部３０によって、第２分割線４６の下側端部に対する左右方向のドラッグ操作が検出された場合には、表示制御部３１は、表示部１６に、第２分割線４６の下側端部に隣接する分割領域４４ｃと、分割領域４４ｃに対して対角の位置にある分割領域４４ａとの縦横比が変化しないように、第１分割線４５および第２分割線４６の表示位置を移動させる。つまり、図５１に示される例では、図５２に示される、第１表示領域２ａの左上角から右下角に延びる対角線５２上に、第１分割線４５および第２分割線４６の交点が位置するように、第１分割線４５および第２分割線４６の表示位置が移動する。したがって、図５１の右側に示されるように、各分割領域のサイズが変更される場合であっても、右手で電子機器１の保持および操作を行うときに操作がしやすい分割領域４４ｃの縦横比が固定となる。したがって、各分割領域のサイズが変化したとしても、特定の分割領域（図５１，５２に示される例では分割領域４４ａ，４４ｃ）の縦横比は変化しないため、分割領域の縦横比の変化が原因で当該分割領域に画像が適切に表示されないといったことを抑制することができる。
【０１５７】
なお、第１分割線４５および第２分割線４６のうちの一方の端部に対する分割線移動操作（ドラッグ操作）が行われた場合に分割領域のサイズが変化する処理については、操作対象画像５１が、第１分割線４５および第２分割線４６の交点に表示されている第一実施形態でも採用することができる。
【０１５８】
＜左手で電子機器を保持および操作を行う場合について＞
上述した実施の形態においては、右手で電子機器１の保持および操作を行う場合を想定した電子機器１の動作について説明した。ここでは、左手で電子機器１の保持および操作を行う場合を想定した操作対象画像５１の表示位置および分割領域のサイズ変更ついて説明する。
【０１５９】
左手で電子機器１の保持および操作を行う場合には、右手で電子機器１の保持および操作を行う場合とは逆に、親指（操作子６０）は、電子機器１の左側から表示部１６表示領域２ａに対して操作を行う。したがって、左手で電子機器１の保持および操作を行う場合を想定して、表示制御部３１は、表示部１６に、表示領域２ａの下端部あるいは左側端部に操作対象画像５１を表示させても良い。
【０１６０】
図５３〜５５は、表示部１６の表示例を示す図である。図５３に示される例では、操作対象画像５１は、表示領域２ａの下端部かつ左側端部、つまり左下角部に表示されている。また、図５４に示される例では、操作対象画像５１は、表示領域２ａの左側端部に表示されている。
【０１６１】
また、ユーザの所定操作によって操作対象画像５１の表示／非表示を切り換える場合には、例えば、図５５の左側に示されるように、操作検出部３０によって、第１表示領域４０の左下角を始点にして当該第１表示領域４０内に向かうスライド操作が検出されたときに、図５５の右側に示されるように、第１表示領域４０の左下角部に操作対象画像５１を表示する。また、表示制御部３１は、操作検出部３０によって、第１表示領域４０に表示される操作対象画像５１を始点にして第１表示領域４０の左下角に向かうスライド操作が検出されたときに、操作対象画像５１を非表示する。
【０１６２】
このように、操作対象画像５１を表示領域２ａの下端部あるいは左側端部に表示させることで、左手で電子機器１を持つユーザは左手で操作対象画像５１を操作し易くなる。
【０１６３】
なお、電子機器１は、ユーザの指示に応じて、操作対象画像５１を表示領域２ａの右側端部に表示するか、左側端部に表示するかを切り換えても良い。ユーザは、表示領域２ａに対して操作を行うことによって、操作対象画像５１を表示領域２ａの右側端部に表示するか、操作対象画像５１を表示領域２ａの左端部に表示するかを電子機器１に指示することができる。
【０１６４】
また、電子機器１は、当該電子機器１を保持および操作する手が右手か左手かを判定して、その判定結果に基づいて、操作対象画像５１を右側端部に表示させるか、左側端部に表示させるかを決定しもよい。この場合には、例えば電子機器１に加速度センサを設ける。電子機器１では、制御部１０が、加速度センサの出力に基づいて電子機器１の傾きを特定する。そして、制御部１０は、特定した電子機器１の傾きに基づいて、電子機器１を保持および操作する手が右手か左手かを判定する。
【０１６５】
ここで、ユーザが電子機器１を右手にもって右手で表示領域２ａを操作する場合には、電子機器１はその右側端部が下側に、その左側端部が上側に位置するように傾く傾向がある。一方で、ユーザが電子機器１を左手にもって左手で表示領域２ａを操作する場合には、電子機器１はその左側端部が下側に、その右側端部が上側に位置するように傾く傾向がある。
【０１６６】
制御部１０は、電子機器１がその右側端部が下側に、その左側端部が上側に位置するように傾いている場合には、電子機器１を保持および操作する手が右手であると判断して、操作対象画像５１を表示領域２ａの右側端部に表示する。
【０１６７】
一方で、制御部１０は、電子機器１がその左側端部が下側に、その右側端部が上側に位置するように傾いている場合には、電子機器１を保持および操作する手が左手であると判断して、操作対象画像５１を表示領域２ａの左側端部に表示する。
【０１６８】
また、電子機器１の右側側面及び左側側面に照度センサを設けて、制御部１００は、当該照度センサでの検出照度に基づいて、電子機器１を保持および操作する手が左手か右手かを判定しても良い。具体的には、制御部１００は、電子機器１の右側側面に設けられた照度センサでの検出照度が、電子機器１の左側側面に設けられた照度センサでの検出照度よりも十分に小さい場合には、電子機器１を保持および操作する手が右手であると判断して、操作対象画像５１を表示領域２ａの右側端部に表示する。
【０１６９】
一方で、制御部１００は、電子機器１の左側側面に設けられた照度センサでの検出照度が、電子機器１の右側側面に設けられた照度センサでの検出照度よりも十分に小さい場合には、電子機器１を保持および操作する手が左手であると判断して、操作対象画像５１を表示領域２ａの左側端部に表示する。
【０１７０】
また、左手で電子機器１の保持および操作を行う場合には、複数の分割領域のなかで親指（操作子６０）が操作しやすい分割領域も変化する。例えば、左手で電子機器１の保持および操作を行う場合には、複数の分割領域のなかで最も左下の位置に存在する分割領域４４ｂが、最も親指（操作子６０）で操作しやすい分割領域に該当する。したがって、左手で電子機器１の保持および操作が行われる場合を想定して、第１分割線４５の左側端部及び第２分割線４６の下側端部に対して分割線移動操作が行われることによって分割領域のサイズが変更されても良い。この場合には。表示制御部３１は、図５６，５７に示されるように、分割領域４４ｂおよび分割領域４４ｄの縦横比が変化しないように、第１分割線４５および第２分割線４６の表示位置を変化させることが好ましい。つまり、第１分割線４５の左側端部に対して上下方向のドラッグ操作が行われた際には、第１表示領域２ａの右上角から左下角に延びる対角線５２（図５７）上に、第１分割線４５および第２分割線４６の交点が位置するように、第１分割線４５および第２分割線４６の表示位置を移動させる。そして、第１分割線４５の下側端部に対して左右方向のドラッグ操作が行われた際には、第１表示領域２ａの右上角から左下角に延びる対角線５２（図５７）上に、第１分割線４５および第２分割線４６の交点が位置するように、第１分割線４５および第２分割線４６の表示位置を移動させる。図５６，５７は、それぞれ図５１，５２に対応する図である。
【０１７１】
なお、電子機器１は、当該電子機器１を保持および操作する手が右手か左手かを判定し、その判定結果に基づいて、第１表示領域２ａの左上角から右下角に延びる対角線５２（図５２）上に、第１分割線４５および第２分割線４６の交点が位置するように、第１分割線４５および第２分割線４６の表示位置を移動させるか、第１表示領域２ａの右上角から左下角に延びる対角線５２（図５７）上に、第１分割線４５および第２分割線４６の交点が位置するように、第１分割線４５および第２分割線４６の表示位置を移動させるかを決定しても良い。
【０１７２】
具体的には、電子機器１は、上述のように、加速度センサ等の出力に基づいて、当該電子機器１を保持および操作する手が右手であると判定した場合には、第１表示領域２ａの左上角から右下角に延びる対角線５２（図５２）上に、第１分割線４５および第２分割線４６の交点が位置するように、第１分割線４５および第２分割線４６の表示位置を移動させる。
【０１７３】
一方で、電子機器１は、当該電子機器１を保持および操作する手が左手であると判定した場合には、第１表示領域２ａの右上角から左下角に延びる対角線５２（図５７）上に、第１分割線４５および第２分割線４６の交点が位置するように、第１分割線４５および第２分割線４６の表示位置を移動させる。
【０１７４】
また、右手及び左手で操作しにくくなるが、第２分割線４６の上側端部に対して分割線移動操作（左右方向のドラッグ操作）が行われることによって分割領域のサイズが変更されても良い。
【０１７５】
＜＜第２実施形態変形例＞＞
既述した第２実施形態では、操作検出部３０によって、第１分割線４５あるいは第２分割線４６の一方の端部に対する分割線移動操作が検出された場合に複数の分割領域のサイズ変更が行われていた。しかし、このようなサイズ変更に代わって、あるいはこのようなサイズ変更とともに、操作検出部３０によって、操作対象画像５１に対して所定操作が検出された場合に、複数の分割領域のサイズ変更が行われてもよい。
【０１７６】
具体的には、表示制御部３１は、操作検出部３０で検出された、操作対象画像５１に対するスライド操作に応じて第１分割線４５および第２分割線４６の交点の位置が移動するように、第１分割線４５および第２分割線４６の表示位置を移動させて、複数の分割領域のサイズを変更させる。
【０１７７】
図５８，５９は、表示部１６の表示例を示す図である。図５８，５９では、電子機器１が右手で操作される場合を想定して、操作対象画像５１は右手で操作されやすい位置に、例えば表示領域２ａの右下角部に表示されている。また、図５８，５９では、複数の分割領域のなかで最も右下の位置に存在する分割領域４４ｃと分割領域４４ａの縦横比が変化しないように、複数の分割領域のサイズを変更する例が示されている。
【０１７８】
図５８の左側に例示されるように、操作検出部３０によって、操作対象画像５１に対する上方向（垂直方向）のスライド操作が検出された場合には、表示制御部３１は、図５８の右側に例示されるように、第１分割線４５および第２分割線４６の交点の位置を対角線５２上において左上方向に移動させる。これにより、分割領域４４ｃは縦横比が変化せずに大きくなり、分割領域４４ａは縦横比が変化せずに小さくなる。
【０１７９】
一方、図５９の左側に例示されるように、操作検出部３０によって、操作対象画像５１に対する左方向（水平方向）のスライド操作が検出された場合には、表示制御部３１は、図５９の右側に示されるように、第１分割線４５および第２分割線４６の交点の位置を対角線５２上において右下方向に移動させる。これにより、分割領域４４ｃは縦横比が変化せずに小さくなり、分割領域４４ａは縦横比が変化せずに大きくなる。
【０１８０】
また、上述した例とは逆に、操作検出部３０によって、垂直方向に移動するスライド操作が検出された場合に、特定の分割領域のサイズを小さくし、水平方向に移動するスライド操作が検出された場合に、特定の分割領域のサイズを大きくしてもよい。
【０１８１】
なお、操作対象画像５１が左手で操作されやすい位置、例えば表示領域２ａの左下角部に表示される場合には、操作検出部３０によって、操作対象画像５１に対する上方向（垂直方向）のスライド操作が検出された場合には、表示制御部３１は、第１分割線４５および第２分割線４６の交点の位置を、表示領域２ａの右上角から左下角まで延びる対角線５２（図５７）上において右上方向に移動させる。これにより、分割領域４４ｂは縦横比が変化せずに大きくなり、分割領域４４ｄは縦横比が変化せずに小さくなる。また、この場合には、操作検出部３０によって、操作対象画像５１に対する右方向（水平方向）のスライド操作が検出された場合には、表示制御部３１は、第１分割線４５および第２分割線４６の交点の位置を、表示領域２ａの右上角から左下角まで延びる対角線５２（図５７）上において左下方向に移動させる。これにより、分割領域４４ｂは縦横比が変化せずに小さくなり、分割領域４４ｄは縦横比が変化せずに大きくなる。
【０１８２】
このように、本変形例では、操作がし易い位置に表示された操作対象画像５１に対する操作によって第１分割線４５および第２分割線４６の交点の位置を変更、つまり、複数の分割領域のサイズ変更を行うことができる。その結果、電子機器１の操作性が向上する。
【０１８３】
＜＜第三実施形態＞＞
ここでは、分割表示モード３６において、例えば着信情報、アラームアプリケーションの通知情報、電子機器１の電池残量が少なくなった旨を知らせる情報などの所定情報を表示部１６に表示させる場合の表示態様について説明する。所定情報を表示部１６に表示させる場合には、表示制御部３１は、複数の分割領域のうちの、右下および左下の分割領域以外の分割領域に当該所定情報を表示させる。図６０，６１は、表示部１６の表示例を示す図である。なお、第三実施形態で説明する内容については、第一及び第二実施形態のそれぞれにおいて適用することができる。
【０１８４】
図６０に示されるように、表示制御部３１は、所定情報６５を、複数の分割領域のうち片手で操作がし易い右下および左下の分割領域４４ｂ，４４ｃ以外の分割領域４４ａ，４４ｄに表示させる。図６０に示される所定情報６５は、メールアプリケーションによって新着メールを受信した旨をユーザに伝えるための情報である。このように、ユーザが操作し易い、右下および左下の分割領域以外の分割領域に所定情報６５が表示されるため、所定情報６５の表示によって、ユーザが操作し易い右下および左下の分割領域の表示が見えにくくなる事を抑制することができる。
【０１８５】
また、例えば、右手で電子機器１を保持および操作していることが特定できた場合には、図６１に示されるように、所定情報６６を、複数の分割領域のうちの最も操作がし易い分割領域分割領域４４ｃ以外の分割領域分割領域４４ａ，４４ｂ，４４ｄに表示させてもよい。図６１に示される所定情報６６は、スケジュールアプリケーションによって、ユーザが設定した時刻に提供される、ユーザが設定した予定情報である。このように、表示制御部３１は、ユーザが最も操作し易い分割領域以外の分割領域に所定情報６６を表示させてもよい。
【０１８６】
また、ユーザが、イヤホンを使用して音声通話を行う場合には、ユーザは電子機器１から出力される受話音を聞くために耳を電子機器１のレシーバー４穴に近づける必要がない。この場合には、ユーザは、表示領域２ａに対する操作を行いながら音声通話を行うことができる。
【０１８７】
一方で、ユーザがイヤホンを使用せずに音声通話を行う場合には、ユーザは電子機器１から出力される受話音を聞くために耳を電子機器１のレシーバー４穴に近づける必要がある。この場合には、ユーザは、表示領域２ａに対する操作を行いながら音声通話を行うことはできない。
【０１８８】
そこで、電子機器１にイヤホンが接続されているか否かを判定する制御部１０が電子機器１にイヤホンが接続されていると判定している場合に、表示制御部３１が音声通話の着信を通知する通知情報６７を表示させるときには、前述したとおり、表示制御部３１は、当該通知情報６７をユーザが操作し易い分割領域以外の分割領域に表示させる。これにより、ユーザにとって操作し易い分割領域の表示が通知情報６７の表示によって見にくくなることを抑制しつつ、ユーザは音声通話の着信を知ることができる。つまり、ユーザ操作を邪魔せずに音声通知の着信をユーザに知らせることができる。
【０１８９】
一方で、表示制御部３１は、制御部１０が電子機器１にイヤホンが接続されていないと判定している場合であって、音声通話の着信を通知する通知情報６７を表示させるときには、図６２に示されるように、分割表示モード３６を解除して、当該通知情報６７を第１表示領域４０に表示させる。これにより、通知情報６７を大きく表示することができることから、ユーザは電子機器１での音声通話の着信に気付きやすくなる。
【０１９０】
なお、上述のイヤホン端子８にイヤホンを接続して、電子機器１にイヤホンを接続しても良いし、電子機器１と無線通信を行うことが可能なイヤホンと電子機器１とを無線接続することによって、電子機器１にイヤホンを接続しても良い。
【０１９１】
＜＜第四実施形態＞＞
記述した実施の形態では、操作検出部３０によって操作対象画像５１に対する操作が検出された場合には、表示制御部３１は、当該操作に関連付けられた複数の分割領域のそれぞれに対する処理（具体的には、分割領域に表示される画像の入れ替え等）を行っていた。しかし、表示制御部３１は、操作対象画像５１に対する所定の操作に関連付けられた処理の１つとして、複数の分割領域のそれぞれに対して行うことができる設定の一覧を、表示部１６に表示させてもよい。
【０１９２】
表示部１６に表示される、複数の分割領域のそれぞれに対して行うことができる設定とは、具体的には、設定モード３７への移行、分割領域に表示される画像の入れ替え、特定の分割領域に対するロック画面の設定、第１分割線４５および第２分割線４６を予め定められた位置に表示（言い換えれば、複数の分割領域のサイズを、所定のサイズに変更する設定）などが挙げられる。
【０１９３】
そして、表示部１６に表示された複数の設定の一覧のうちの１つの設定を選択する操作が、操作検出部３０によって検出された場合には、表示制御部３１は、当該選択された設定に対応する処理を実行する。
【０１９４】
なお、第四実施形態で説明する内容については、第一〜第三実施形態のそれぞれにおいて適用することができる。
【０１９５】
＜＜その他変形例＞＞
上記の例では、本願発明を携帯電話機に適用する場合を例に挙げて説明したが、本願発明は他の電子機器にも適用することができる。例えば、本願発明は、タブレット端末、ＰＣ（Personal computer）、ＰＤＡ（Personal Digital Assistant）、ＴＶ（テレビ受信機）などにも適用することができる。
【０１９６】
以上のように、電子機器１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【０１９７】
１  電子機器
２ａ  表示領域
１６  表示部
３０  操作検出部
３１  表示制御部
３５  通常表示モード
３６  分割表示モード
３７  設定モード
【図１】
2018198096.tif 000003
【図２】
2018198096.tif 000004
【図３】
2018198096.tif 000005
【図４】
2018198096.tif 000006
【図５】
2018198096.tif 000007
【図６】
2018198096.tif 000008
【図７】
2018198096.tif 000009
【図８】
2018198096.tif 000010
【図９】
2018198096.tif 000011
【図１０】
2018198096.tif 000012
【図１１】
2018198096.tif 000013
【図１２】
2018198096.tif 000014
【図１３】
2018198096.tif 000015
【図１４】
2018198096.tif 000016
【図１５】
2018198096.tif 000017
【図１６】
2018198096.tif 000018
【図１７】
2018198096.tif 000019
【図１８】
2018198096.tif 000020
【図１９】
2018198096.tif 000021
【図２０】
2018198096.tif 000022
【図２１】
2018198096.tif 000023
【図２２】
2018198096.tif 000024
【図２３】
2018198096.tif 000025
【図２４】
2018198096.tif 000026
【図２５】
2018198096.tif 000027
【図２６】
2018198096.tif 000028
【図２７】
2018198096.tif 000029
【図２８】
2018198096.tif 000030
【図２９】
2018198096.tif 000031
【図３０】
2018198096.tif 000032
【図３１】
2018198096.tif 000033
【図３２】
2018198096.tif 000034
【図３３】
2018198096.tif 000035
【図３４】
2018198096.tif 000036
【図３５】
2018198096.tif 000037
【図３６】
2018198096.tif 000038
【図３７】
2018198096.tif 000039
【図３８】
2018198096.tif 000040
【図３９】
2018198096.tif 000041
【図４０】
2018198096.tif 000042
【図４１】
2018198096.tif 000043
【図４２】
2018198096.tif 000044
【図４３】
2018198096.tif 000045
【図４４】
2018198096.tif 000046
【図４５】
2018198096.tif 000047
【図４６】
2018198096.tif 000048
【図４７】
2018198096.tif 000049
【図４８】
2018198096.tif 000050
【図４９】
2018198096.tif 000051
【図５０】
2018198096.tif 000052
【図５１】
2018198096.tif 000053
【図５２】
2018198096.tif 000054
【図５３】
2018198096.tif 000055
【図５４】
2018198096.tif 000056
【図５５】
2018198096.tif 000057
【図５６】
2018198096.tif 000058
【図５７】
2018198096.tif 000059
【図５８】
2018198096.tif 000060
【図５９】
2018198096.tif 000061
【図６０】
2018198096.tif 000062
【図６１】
2018198096.tif 000063
【図６２】
2018198096.tif 000064
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
表示領域に表示を行う表示部と、
前記表示領域に対する操作を検出する操作検出部と、
制御部と、
を備え、
前記制御部は、
前記表示領域を、少なくとも第１分割領域及び第２分割領域に分割し、
前記表示部に、
前記第１分割領域おいて、第１アプリケーションの実行画像である第１画像を表示させ、前記第２分割領域おいて、第２アプリケーションの実行画像である第２画像を表示させ、前記第１分割領域と前記第２分割領域との間に分割線を表示させ、
前記分割線上において第１操作が検出されると、前記第１画像の縮小画像である第３画像を表示させ、前記第２画像の縮小画像である第４画像を表示させ、前記第３画像及び前記第４画像を表示するとき、前記分割線を非表示にさせる、電子機器。
【請求項２】
請求項１に記載の電子機器であって、
前記制御部は、
前記第１画像及び前記第２画像が表示されるとき、前記分割線上において第２操作が検出されると、前記第１分割領域及び第２分割領域のうち少なくとも一つの領域の大きさを変更する、電子機器。
【請求項３】
請求項１に記載の電子機器であって、
前記第１画像の位置と前記第３画像の位置とは対応し、
前記第２画像の位置と前記第４画像の位置とは対応する、電子機器。
【請求項４】
請求項３に記載の電子機器であって、
前記制御部は、
前記第１操作が検出された後、前記第３画像及び前記第４画像の一方に対する第２操作が検出されると、前記第３画像及び前記第４画像の位置を入れ替える、電子機器。
【請求項５】
請求項４に記載の電子機器であって、
前記制御部は、
前記第３画像及び前記第４画像の位置を入れ替えた後、前記表示領域の一部への第３操作が検出されると、前記表示部に前記第１画像及び前記第２画像を前記分割線とともに表示させる、電子機器。
【請求項６】
請求項１から請求項５のいずれか一つに記載の電子機器であって、
前記制御部は、前記表示部に、前記表示領域を分割する、水平方向及び垂直方向の一方に延びる第１分割線と水平方向及び垂直方向の他方に延びる第２分割線とを表示させ、前記第１分割線と前記第２分割線とで前記表示領域を複数の分割領域に分割し、
前記複数の分割領域は、少なくとも前記第１分割領域及び第２分割領域を含む、電子機器。
【請求項７】
請求項６に記載の電子機器であって、
前記制御部は、前記表示領域を前記複数の分割領域に分割するとき、前記表示領域において、前記第１分割線及び前記第２分割線の交点を含む特定の領域を設定し、
前記第１操作は、前記特定の領域上の操作である、電子機器。
【手続補正２】
【補正対象書類名】明細書
【補正対象項目名】０００６
【補正方法】変更
【補正の内容】
【０００６】
電子機器の一態様は、表示領域に表示を行う表示部と、表示領域に対する操作を検出する操作検出部と、制御部とを備える。制御部は、表示領域を、少なくとも第１分割領域及び第２分割領域に分割し、表示部に、第１分割領域おいて、第１アプリケーションの実行画像である第１画像を表示させ、第２分割領域おいて、第２アプリケーションの実行画像である第２画像を表示させ、第１分割領域と第２分割領域との間に分割線を表示させ、分割線上において第１操作が検出されると、第１画像の縮小画像である第３画像を表示させ、第２画像の縮小画像である第４画像を表示させ、第３画像及び第４画像を表示するとき、分割線を非表示にさせる。